(57)【要約】  画像ディスプレーシステムと方法はタイリングモジュール、閉止モジュール、リタイリングモジュール、そしてミラーリングモジュールを有する。画像ディスプレーシステムはユーザーワークステーションから受信したコマンドに応答して、主及び補足ディスプレーのディスプレー範囲上にスタディを表示する。ディスプレーエンティティはディスプレーエンティティレイアウトにより規定されたディスプレーエンティティボックス内で主及び補足ディスプレーのディスプレー範囲上に表示される。新ディスプレーエンティティが付加されると、それらは好ましいタイリングフォーマットで該ディスプレー範囲に付加される。１つのディスプレーエンティティがもう１つの上にドラグされると、ディスプレーエンティティは自動的に閉じられる。ディスプレーエンティティボックスはダイナミックに寸法決め変えされ、それはディスプレーエンティティレイアウトの規定し直しに帰着する。又種々のディスプレーエンティティが原始ディスプレー上に表示され、適切なディスプレープロトコルを用いて隣接ディスプレー上へミラー（ｍｉｒｒｏｒｅｄ）され得る。
2008509456.tif 000002
【特許請求の範囲】
【請求項１】
新ディスプレーエンティティ及び前ディスプレーエンティティを表示するためのディスプレーシステムに於いて、前記システムが
（ａ）該新及び前ディスプレーエンティティに付随するデータを記憶するためのメモリーと、
（ｂ）該新及び前ディスプレーエンティティに付随するデータを選択的に検索するために前記メモリーに接続されたプロセサーと、
（ｃ）該新及び前ディスプレーエンティティを表示するために前記プロセサーに接続された主ディスプレーと、を具備しており、前記主ディスプレーは第１ディスプレーエンティティレイアウトに依り少なくとも１つのディスプレーエンティティボックスを表示するよう適合された主ディスプレー範囲を備えており、
（ｄ）前記プロセサーは更に、
（ｉ）該第１ディスプレーエンティティレイアウトにより規定されたディスプレーエンティティボックス内に該前ディスプレーエンティティを表示するよう該主ディスプレーに命令し、
（ｉｉ）該新ディスプレーエンティティが表示用に選択されたかを決定し、
（ｉｉｉ）主ディスプレー範囲がフルでないかを決定し、
（ｉｖ）もし（ｉｉ）及び（ｉｉｉ）が共に真であるなら、該第１ディスプレーエンティティレイアウトにより規定される該ディスプレーエンティティボックスを閉じ、該新及び前ディスプレーエンティティを収容する第２ディスプレーエンティティレイアウトを決定し、そして
（ｖ）該第２ディスプレーエンティティレイアウトにより規定されたディスプレーエンティティボックス内で該主ディスプレー範囲内に該新及び前ディスプレーエンティティを表示する、よう適合されていることを特徴とする該システム。
【請求項２】
該新ディスプレーエンティティボックスが該前ディスプレーエンティティボックスに対し水平にそして垂直に位置付けられた１つであることを特徴とする請求項１の該システム。
【請求項３】
該新ディスプレーエンティティボックスが該前ディスプレーエンティティボックスの場所に位置付けられることを特徴とする請求項１の該システム。
【請求項４】
前記プロセサーが更に
（Ａ）エンティティレイアウトを表現する指標を提供し、
（Ｂ）前記指標が選択されたかを決定し、
（Ｃ）もし（Ｂ）が真ならば、該指標により表現されたエンティティレイアウトを決定し、それを第２ディスプレーエンティティレイアウトとして使うことを特徴とする請求項１から３の該システム。
【請求項５】
該新ディスプレーエンティティが新ディスプレーエンティティ特性と組み合わされ、該前ディスプレーエンティティが前ディスプレーエンティティ特性と組み合わされ、そして該前ディスプレーエンティティに対する該新ディスプレーエンティティの位置が該新及び前ディスプレーエンティティ特性間の関係に基づき決定されることを特徴とする請求項１から４の該システム。
【請求項６】
該新ディスプレーエンティティが新ディスプレーエンティティ特性と組み合わされており、該前ディスプレーエンティティが前ディスプレーエンティティ特性と組み合わされており、そして該新ディスプレーエンティティが該新及び前ディスプレーエンティティ特性間の関係に基づきディスプレー用に選択されることを特徴とする請求項１から４の該シス
テム。
【請求項７】
更に前記プロセサーに接続された補足ディスプレーを具備しており、前記補足ディスプレーが補足ディスプレー範囲と、該補足ディスプレー範囲内に少なくとも１つのディスプレーエンティティボックスを規定する第３ディスプレーエンティティレイアウトと、を備えており、前記プロセサーが更に
（ｖｉ）（ｉｉ）が真であり、かつ、（ｉｉｉ）が誤りである、かを決定し、もしそうであるなら、該第３のディスプレーエンティティレイアウトにより規定されるディスプレーエンティティボックス内で補足ディスプレー範囲上に該新ディスプレーエンティティを表示するよう適合されていることを特徴とする請求項１から６の該システム。
【請求項８】
第１ディスプレーエンティティレイアウトに依り少なくとも１つのディスプレーエンティティボックスを表示するよう適合された主ディスプレー範囲を有する主ディスプレー上に新及び前ディスプレーエンティティを表示する方法に於いて、前記方法が
（ａ）該新及び前ディスプレーエンティティに付随するデータを記憶する過程と、
（ｂ）該新及び前ディスプレーエンティティに付随するデータを選択的に検索する過程と、
（ｃ）該第１ディスプレーエンティティレイアウトに依り規定されたディスプレーエンティティボックス内で主ディスプレー上に該前ディスプレーエンティティを表示する過程と、
（ｄ）該新ディスプレーエンティティがディスプレー用に選択されたかを決定する過程と、
（ｅ）該主ディスプレー範囲がフルでないかを決定する過程と、
（ｆ）もし（ｄ）と（ｅ）とが共に真であるなら、該第１ディスプレーエンティティレイアウトにより規定された該ディスプレーエンティティボックスを閉じ、該新及び前ディスプレーエンティティを収容する第２ディスプレーエンティティレイアウトを決定する過程と、そして
（ｇ）該第２ディスプレーエンティティレイアウトにより規定されるディスプレーエンティティボックス内で主ディスプレー範囲内に該新及び前ディスプレーエンティティを表示する過程と、を具備することを特徴とする該方法。
【請求項９】
該新ディスプレーエンティティボックスが該前ディスプレーエンティティボックスに対し水平にそして垂直に位置付けられた１つであることを特徴とする請求項８の該方法。
【請求項１０】
該新ディスプレーエンティティボックスが該前ディスプレーエンティティボックスの場所に位置付けられることを特徴とする請求項８の該方法。
【請求項１１】
（ｇ）が更に
（Ａ）エンティティレイアウトを表現する指標を提供する過程と、
（Ｂ）前記指標が選択されたかを決定する過程と、
（Ｃ）もし（Ｂ）が真ならば、該指標により表現される該エンティティレイアウトを決定し、それを該第２ディスプレーエンティティレイアウトとして使う過程と、を具備することを特徴とする請求項８から１０の該方法。
【請求項１２】
該新ディスプレーエンティティは新ディスプレーエンティティ特性と組み合わされており、該前ディスプレーエンティティは前ディスプレーエンティティ特性と組み合わされており、そして該前ディスプレーエンティティに対する該新ディスプレーエンティティの位置は該新及び前ディスプレーエンティティ特性間の関係に基づき決定されることを特徴とする請求項８から１１の該方法。
【請求項１３】
該新ディスプレーエンティティは新ディスプレーエンティティ特性と組み合わされており、該前ディスプレーエンティティは前ディスプレーエンティティ特性と組み合わされており、そして該新ディスプレーエンティティは該新及び前ディスプレーエンティティ特性間の関係に基づきディスプレー用に選択されることを特徴とする請求項８から１１の該方法。
【請求項１４】
新ディスプレーエンティティは又補足ディスプレー上に選択的に表示され、前記補足ディスプレーは補足ディスプレー範囲と、該補足ディスプレー範囲内に少なくとも１つのディスプレーエンティティボックスを規定する第３ディスプレーエンティティレイアウトと、を有しており、前記方法は更に
（ｇ）もし（ｄ）が真で、かつ、（ｅ）が誤りであれば、該第３ディスプレーエンティティレイアウトにより規定されるディスプレーエンティティボックス内で該補足ディスプレー範囲内に該新ディスプレーエンティティを表示する過程を具備することを特徴とする請求項８から１３の該方法。
【請求項１５】
第１及び第２ディスプレーエンティティを表示するディスプレーシステムに於いて、前記システムが、
（ａ）該第１及び第２ディスプレーエンティティに付随するデータを記憶するためのメモリーと、
（ｂ）該第１及び第２ディスプレーエンティティに付随する画像データを選択的に検索するために前記メモリーに接続されたプロセサーと、
（ｃ）該第１及び第２ディスプレーエンティティを表示するために前記プロセサーに接続されたディスプレーと、を具備しており、前記ディスプレーはディスプレーエンティティレイアウトに依り少なくとも１つのディスプレーエンティティボックスを表示するよう適合されたディスプレー範囲を備えており、
（ｄ）前記プロセサーは更に、
（ｉ）第１ディスプレーエンティティレイアウトにより規定されたディスプレーエンティティボックス内で該ディスプレー範囲内に該第１及び第２ディスプレーエンティティを表示するよう該ディスプレーに命令し、
（ｉｉ）該第２ディスプレーエンティティが閉止用に選択されたかを決定し、
（ｉｉｉ）もし（ｉｉ）が真であるなら、該第１ディスプレーエンティティレイアウトにより規定された該少なくとも１つのディスプレーエンティティボックスを閉じ、該第１ディスプレーエンティティを収容するが第２ディスプレーエンティティを収容しない第２ディスプレーエンティティレイアウトを決定し、そして
（ｉｖ）該第２ディスプレーエンティティレイアウトにより規定されたディスプレーエンティティボックス内で該ディスプレー範囲内に該第１ディスプレーエンティティを表示する、よう適合されていることを特徴とする該システム。
【請求項１６】
該第２ディスプレーエンティティは、該第１ディスプレーエンティティが該第２ディスプレーエンティティ上にドラグされた時、閉止用に選択されることを特徴とする請求項１５の該システム。
【請求項１７】
該第２ディスプレーエンティティレイアウトの該決定は該ディスプレーの画像解像度を考慮することを特徴とする請求項１５又は１６の該システム。
【請求項１８】
該第２ディスプレーエンティティレイアウトの該決定は該第１ディスプレーエンティティの画像解像度を考慮することを特徴とする請求項１５から１７の該システム。
【請求項１９】
ディスプレーエンティティレイアウトに依り少なくとも１つのディスプレーエンティティボックスを表示するよう適合されたディスプレー範囲を有するディスプレー上に第１及び第２ディスプレーエンティティを表示する方法に於いて、前記方法が
（ａ）該第１及び第２ディスプレーエンティティに付随するデータを記憶する過程と、
（ｂ）前記第１及び第２ディスプレーエンティティに付随するデータを選択的に検索する過程と、
（ｃ）第１ディスプレーエンティティレイアウトに依り規定されたディスプレーエンティティボックス内で該ディスプレー範囲内に該第１及び第２ディスプレーエンティティを表示する過程と、
（ｄ）該第２ディスプレーエンティティが閉止用に選択されたかを決定する過程と、
（ｅ）もし（ｄ）が真であるなら、該第１ディスプレーエンティティレイアウトにより規定された該少なくとも１つのディスプレーエンティティボックスを閉じ、該第１ディスプレーエンティティを収容するが該第２ディスプレーエンティティを収容しない第２ディスプレーエンティティレイアウトを決定する過程と、そして
（ｇ）該第２ディスプレーエンティティレイアウトにより規定されるディスプレーエンティティボックス内で該ディスプレー範囲内に該第１ディスプレーエンティティを表示する過程と、を具備することを特徴とする該方法。
【請求項２０】
該第１ディスプレーエンティティが該第２ディスプレーエンティティ上にドラグされた時、該第２ディスプレーエンティティは閉止用に選択されることを特徴とする請求項１９の該方法。
【請求項２１】
該第２ディスプレーエンティティレイアウトの該決定が該ディスプレーの解像度を考慮することを特徴とする請求項１９又は２０の該方法。
【請求項２２】
該第２ディスプレーエンティティレイアウトの該決定が該第１ディスプレーエンティティの解像度を考慮することを特徴とする請求項１９から２１の該方法。
【請求項２３】
第１及び第２ディスプレーエンティティを表示するディスプレーシステムに於いて、前記システムが、
（ａ）該第１及び第２ディスプレーエンティティに付随するデータを記憶するためのメモリーと、
（ｂ）該第１及び第２ディスプレーエンティティに付随するデータを選択的に検索するために前記メモリーに接続されたプロセサーと、
（ｃ）該第１及び第２ディスプレーエンティティを表示するために前記プロセサーに接続されたディスプレーと、を具備しており、前記ディスプレーは左及び頂部側部を有するディスプレー範囲を備えており、前記ディスプレーは又第１ディスプレーエンティティレイアウトに依り少なくとも１つの第１ディスプレーエンティティボックスを、そして第２ディスプレーエンティティレイアウトに依り少なくとも１つの第２ディスプレーエンティティボックスを、表示するよう適合されており、
（ｄ）前記プロセサーは更に、
（ｉ）該第１ディスプレーエンティティレイアウトにより該第１ディスプレーエンティティボックス内に該第１ディスプレーエンティティを表示するよう該ディスプレーに命令し、
（ｉｉ）第２ディスプレーエンティティレイアウトが選択されたかを決定し、
（ｉｉｉ）もし（ｉｉ）が真であるなら、該第１ディスプレーエンティティレイアウトに依り規定される該第１ディスプレーエンティティボックスを閉じ、該第２ディスプレーエンティティレイアウトに依り規定される第２ディスプレーエンティティボックス内に該第１及び第２ディスプレーエンティティを表示するよう適合されていることを特徴とする該システム。
【請求項２４】
該プロセサーが更に
（ｉｖ）該第１ディスプレーエンティティボックスより小さい寸法を有するハイライトボックスが選択されたかを決定することにより第２ディスプレーエンティティレイアウトが選択されたかを決定するよう適合されていることを特徴とする請求項２３の該システム。
【請求項２５】
該プロセサーが更に、
（ｖ）該ハイライトボックスの垂直及び水平寸法を決定し、
（ｖｉ）該ハイライトボックスが実施用に選択されたかを決定し、
（ｖｉｉ）もし（ｖｉ）が真であるなら、該第２ディスプレーエンティティボックスの該垂直及び水平寸法が実質的に該ハイライトボックスの該垂直及び水平寸法に対応するよう該第２ディスプレーエンティティレイアウトを決定するよう適合されていることを特徴とする請求項２４の該システム。
【請求項２６】
該ディスプレー範囲が垂直境界線を有し、該プロセサーが更に、ハイライトボックスの該垂直寸法が該ディスプレー範囲の左側部と該垂直境界線との間の距離以下であるかを決定し、そしてもしそうであるなら、該第２ディスプレーエンティティボックスの垂直寸法を、該ディスプレー範囲の該左側部と該垂直境界線との間の該距離と等しくなるよう設定する、よう適合されていることを特徴とする請求項２５の該システム。
【請求項２７】
該ディスプレー範囲が水平境界線を有し、該プロセサーが更に、ハイライトボックスの水平寸法が該ディスプレー範囲の頂部側と該水平境界線との間の距離以下であるかを決定し、そしてもしそうであるなら、該第２ディスプレーエンティティボックスの水平寸法を、該ディスプレー範囲の該頂部側と該水平境界線との間の該距離と等しくなるよう設定する、よう適合されていることを特徴とする請求項２５の該システム。
【請求項２８】
該ディスプレー範囲は又右側部を有し、該垂直境界線はディスプレー範囲内で、該左及び右側部間の道の２分の１、該左及び右側部間の道の３分の１、該左及び右側部間の道の４分の１、から成るグループから選択される位置、に位置付けられることを特徴とする請求項２６の該システム。
【請求項２９】
該ディスプレー範囲は又底部側部を有し、該水平境界線はディスプレー範囲内で、該頂部及び底部側部間の道の２分の１、該頂部及び底部側部間の道の３分の１、該頂部及び底部側部間の道の４分の１、から成るグループから選択される位置、に位置付けられることを特徴とする請求項２７の該システム。
【請求項３０】
該第１ディスプレーエンティティは第１ディスプレーエンティティ特性と組み合わされており、該第２ディスプレーエンティティは第２ディスプレーエンティティ特性と組み合わされており、そして該第１ディスプレーエンティティに対する該第２ディスプレーエンティティの位置は該第２及び第１ディスプレーエンティティ特性間の関係に基づき決定されることを特徴とする請求項２３から２９の該システム。
【請求項３１】
該第１ディスプレーエンティティは第１ディスプレーエンティティ特性と組み合わされており、該第２ディスプレーエンティティは第２ディスプレーエンティティ特性と組み合わされており、そして該第１ディスプレーエンティティは該第１及び第２ディスプレーエンティティ特性間の関係に基づきディスプレー用に選択されることを特徴とする請求項２３から２９の該システム。
【請求項３２】
左及び頂部側部を有するディスプレー範囲を備えるディスプレー上に第１及び第２ディスプレーエンティティを表示する方法であるが、前記ディスプレーが又第１ディスプレーエンティティレイアウトに依り少なくとも１つの第１ディスプレーエンティティボックス
を、そして第２ディスプレーエンティティレイアウトに依り少なくとも１つの第２ディスプレーエンティティボックスを、表示するよう適合されている該方法に於いて、前記方法が
（ａ）該第１及び第２ディスプレーエンティティに付随する画像データを記憶する過程と、
（ｂ）該第１及び第２ディスプレーエンティティに付随する画像データを選択的に検索する過程と、
（ｃ）該第１ディスプレーエンティティレイアウトに依り該第１ディスプレーエンティティボックス内に該第１ディスプレーエンティティを表示する過程と、
（ｄ）第２ディスプレーエンティティレイアウトが選択されたかを決定する過程と、そして
（ｅ）もし（ｄ）が真であるなら、該第１ディスプレーエンティティレイアウトにより規定された該第１ディスプレーエンティティボックスを閉じ、該第２ディスプレーエンティティレイアウトに依り規定された第２ディスプレーエンティティボックス内に該第１及び第２ディスプレーエンティティを表示する過程と、を具備することを特徴とする該方法。
【請求項３３】
更に、
（ｉｖ）該第１ディスプレーエンティティボックスより小さい寸法を有するハイライトボックスが選択されたかを決定することにより第２ディスプレーエンティティレイアウトが選択されたかを決定する過程を具備することを特徴とする請求項３２の該方法。
【請求項３４】
更に、
（ｖ）該ハイライトボックスの垂直及び水平寸法を決定する過程と、
（ｖｉ）該ハイライトボックスが実施用に選択されたかを決定する過程と、
（ｖｉｉ）もし（ｖｉ）が真であるなら、該第２ディスプレーエンティティボックスの垂直及び水平寸法が実質的に該ハイライトボックスの垂直及び水平寸法に対応するよう該第２ディスプレーエンティティレイアウトを決定する過程と、を具備することを特徴とする請求項３３の該方法。
【請求項３５】
該ディスプレー範囲が垂直境界線を有し、そして前記方法が更に、ハイライトボックスの該垂直寸法が該ディスプレー範囲の左側部と該垂直境界線との間の距離以下であるかを決定する過程と、そしてもしそうであるなら、該第２ディスプレーエンティティボックスの該垂直寸法を該ディスプレー範囲の該左側部と該垂直境界線との間の距離に等しくなるよう設定する過程と、具備することを特徴とする請求項３４の該方法。
【請求項３６】
該ディスプレー範囲が水平境界線を有し、そして前記方法が更に、ハイライトボックスの該水平寸法が該ディスプレー範囲の頂部側部と該水平境界線との間の距離以下であるかを決定する過程と、そしてもしそうであるなら、該第２ディスプレーエンティティボックスの該水平寸法を該ディスプレー範囲の該頂部側部と該水平境界線との間の距離に等しくなるよう設定する過程と、具備することを特徴とする請求項３５の該方法。
【請求項３７】
該ディスプレー範囲が又右側部を有しており、そして該垂直境界線がディスプレー範囲内で、該左及び右側部の間の２分の１、該左及び右側部の間の道の３分の１、該左及び右側部の間の道の４分の１、から成るグループから選択された位置に位置付けられることを特徴とする請求項３６の該方法。
【請求項３８】
該ディスプレー範囲が又底部側部を有しており、そして該水平境界線がディスプレー範囲内で、該頂部側部及び底部側部の間の２分の１、該頂部側部及び底部側部の間の道の３分の１、該頂部側部及び底部側部の間の道の４分の１、から成るグループから選択された
位置に位置付けられることを特徴とする請求項３７の該方法。
【請求項３９】
ディスプレーエンティティを表示するディスプレーシステムであるが、前記ディスプレーエンティティがディスプレーサブエンティティを有する該システムに於いて、前記システムが、
（ａ）該ディスプレーエンティティに付随するデータを記憶するためのメモリーと、
（ｂ）該ディスプレーエンティティに付随するデータを選択的に検索するために前記メモリーに接続されたプロセサーと、
（ｃ）該ディスプレーエンティティを表示するために前記プロセサーに接続された原始ディスプレーと、を具備しており、前記原始ディスプレーは少なくとも１つのディスプレーサブエンティティを表示するよう適合された原始ディスプレー範囲を備えており、前記システムは又
（ｄ）該ディスプレーエンティティを表示するために前記プロセサーに接続された隣接ディスプレーを具備しており、前記隣接ディスプレーは少なくとも１つのディスプレーサブエンティティを表示するよう適合された隣接ディスプレー範囲を備えており、
（ｅ）前記プロセサーは更に、
（ｉ）原始ディスプレー範囲内でディスプレーエンティティボックス内に該ディスプレーエンティティを表示し、
（ｉｉ）該ディスプレーエンティティのミラーリングが選択されたかを決定し、そして
（ｉｉｉ）もし（ｉｉ）が真であるなら、該原始ディスプレー範囲内に該ディスプレーエンティティの該第１ディスプレーサブエンティティを、そして該隣接ディスプレー範囲内に該ディスプレーエンティティの該第２ディスプレーサブエンティティを、表示するよう適合されていることを特徴とする該システム。
【請求項４０】
前記原始及び隣接ディスプレーがディスプレーエンティティボックスを表示するよう適合されており、前記プロセサーは更に、
（ｉ）該ディスプレーエンティティボックスが選択され、そして該原始ディスプレーから該隣接ディスプレーへ広げられたかを決定し、
（ｉｉ）もし（ｉ）が真であるなら、指標を表示しそして該指標が選択されたかを決定し、そして
（ｉｉｉ）もし（ｉｉ）が真であるなら、該ディスプレーエンティティのミラーリングが選択されたことを決定するよう適合されていることを特徴とする請求項３９の該システム。
【請求項４１】
原始ディスプレー及び隣接ディスプレー上にディスプレーエンティティを表示する方法であるが、前記ディスプレーエンティティはディスプレーサブエンティティを有し、該原始ディスプレーは原始ディスプレー範囲を有しそして該隣接ディスプレーは隣接ディスプレー範囲を有する場合の該方法に於いて、前記方法が、
（ａ）該ディスプレーエンティティに付随するデータを記憶する過程と、
（ｂ）該ディスプレーエンティティに付随するデータを選択的に検索する過程と、
（ｃ）該原始ディスプレー範囲内でディスプレーエンティティボックス内に該ディスプレーエンティティを表示する過程と、
（ｄ）該ディスプレーエンティティのミラーリングが選択されたかを決定する過程と、そして
（ｅ）もし（ｄ）が真であるなら、該原始ディスプレー範囲内に該ディスプレーエンティティの第１ディスプレーサブエンティティを、そして該隣接のディスプレー範囲内に該ディスプレーエンティティの第２ディスプレーサブエンティティを、表示する過程と、を具備することを特徴とする該方法。
【請求項４２】
前記原始及び隣接のディスプレーがディスプレーエンティティボックスを表示するよう適合されており、前記方法が更に、
（ｆ）該ディスプレーエンティティボックスが選択され、該原始ディスプレーから該隣接ディスプレーまで拡張されたかを決定する過程と、
（ｇ）もし（ｆ）が真であるなら、指標を表示し、そして該指標がユーザーにより選択されたかを決定する過程と、そして
（ｈ）もし（ｇ）が真であるなら、該第１及び第２シリーズのミラーリングが選択されたかを決定する過程と、を具備することを特徴とする請求項４１の該方法。
【発明の詳細な説明】
【技術分野】
【０００１】
本発明は一般的に画像ディスプレー（ｉｍａｇｅ  ｄｉｓｐｌａｙ）の分野に関し、特に改良された画像ディスプレーシステム（ｉｍａｇｅ  ｄｉｓｐｌａｙ  ｓｙｓｔｅｍ）と方法に関する。
【背景技術】
【０００２】
医学分野で商業的に入手可能な画像ディスプレーシステムは画像データをユーザーに提示するために種々の技術を使用している。特に、コンピュータ化放射線写真技術（Ｃｏｍｐｕｔｅｄ  Ｒａｄｉｏｇｒａｐｈｙ）｛シーアール（ＣＲ）｝、医学的核磁気共鳴画像形成技術（Ｍｅｄｉｃａｌ  Ｒｅｓｏｎａｎｃｅ  Ｉｍａｇｅｒｙ）｛エムアールアイ（ＭＲＩ）｝等の様なモダリティ（ｍｏｄａｌｉｔｉｅｓ）内で作られる画像データが、医学的治療サイトで開業医（ｍｅｄｉｃａｌ  ｐｒａｃｔｉｏｎｅｒ）による検査（ｒｅｖｉｅｗ）用にディスプレーターミナル（ｄｉｓｐｌａｙ  ｔｅｒｍｉｎａｌ）上に表示（ｄｉｓｐｌａｙｅｄ）される。この画像データは病気、組織損傷他の存否を決定するため該開業医により使われる。該開業医へのこの様な画像データの提示を最適化する多くの試みが行われて来た。
【０００３】
例えば、特許文献１はディスプレースクリーン（ｄｉｓｐｌａｙ  ｓｃｒｅｅｎ）上に表示されるデジタルの放射線医学的画像（ｒａｄｉｏｌｏｇｉｃａｌ  ｉｍａｇｅｓ）の数を最大化する装置と方法を開示している。１つの画像ディスプレースクリーン上に提示され得る画像の数を最大化するため種々の医学的画像フレーム（ｍｅｄｉｃａｌ  ｉｍａｇｅ  ｆｒａｍｅｓ）の非画像部分（Ｎｏｎ−ｉｍａｇｅ  ｐｏｒｔｉｏｎｓ）は減じられる。又、全画像フレームが同じ幅と長さを有するよう、複数の行（ｒｏｗｓ）と列（ｃｏｌｕｍｎｓ）内の相互に対し修正された画像フレームがディスプレースクリーン上に配置される。
【０００４】
又、特許文献２は、多数のディスプレープロトコル（ｄｉｓｐｌａｙ  ｐｒｏｔｏｃｏｌ）が予め決められた順序でラインアップ（ｌｉｎｅｄ  ｕｐ）されたディスプレープロトコルに基づいて画像データのレイアウトを提供する様な画像ディスプレー方法を開示している。該特定の提示プロトコル（ｐｒｅｓｅｎｔａｔｉｏｎ  ｐｒｏｔｏｃｏｌｓ）は、ユーザーが特定のディスプレープロトコルシーケンス（ｄｉｓｐｌａｙ  ｐｒｏｔｏｃｏｌ  ｓｅｑｕｅｎｃｅ）を指定することにより特定レイアウトを選択出来るよう、表示用ワークステーション（ｄｉｓｐｌａｙｉｎｇ  ｗｏｒｋｓｔａｔｉｏｎ）のメモリー内に記憶される。
【０００５】
しかしながら、これらの画像ディスプレーシステムは、該開業医が予めセットされた選定を用いて画像データの特定の出力を前もって指定することを可能にするに過ぎない。この様な選択ベースのシステム（ｐｒｅｆｅｒｅｎｃｅ−ｂａｓｅｄ  ｓｙｓｔｅｍｓ）は開業医が最適のディスプレーの目的で画像データとダイナミックに交流（ｉｎｔｅｒａｃｔ）することを可能にはしない。
【特許文献１】米国特許第５，６４４，６１１号明細書
【特許文献２】欧州特許出願第１２２９４５８号明細書
【発明の開示】
【課題を解決するための手段】
【０００６】
本発明は、１側面では、新ディスプレーエンティティ（ｎｅｗ  ｄｉｓｐｌａｙ  ｅｎｔｉｔｙ）と前ディスプレーエンティティ（ｐｒｅｖｉｏｕｓ  ｄｉｓｐｌａｙ  ｅｎｔ
ｉｔｙ）とを表示するためのディスプレーシステムを提供するが、前記システムは、
（ａ）該新及び前ディスプレーエンティティに付随するデータを記憶（ｓｔｏｒｉｎｇ）するためのメモリー（ｍｅｍｏｒｙ）と、
（ｂ）該新及び前ディスプレーエンティティに付随（ａｓｓｏｃｉａｔｅｄ）するデータを選択的に検索する（ｓｅｌｅｃｔｉｖｅｌｙ  ｒｅｔｒｉｅｖｉｎｇ）ために前記メモリーに接続（ｃｏｕｐｌｅｄ）されたプロセサー（ｐｒｏｃｅｓｓｏｒ）と、
（ｃ）該新及び前ディスプレーエンティティを表示するために前記プロセサーに接続された主ディスプレー（ｐｒｉｍａｒｙ  ｄｉｓｐｌａｙ）と、を具備しており、前記主ディスプレーは、第１ディスプレーエンティティレイアウト（ｆｉｒｓｔ  ｄｉｓｐｌａｙ  ｅｎｔｉｔｙ  ｌａｙｏｕｔ）に依り少なくとも１つのディスプレーエンティティボックス（ｄｉｓｐｌａｙ  ｅｎｔｉｔｙ  ｂｏｘ）を表示するよう適合された主ディスプレー範囲（ｐｒｉｍａｒｙ  ｄｉｓｐｌａｙ  ａｒｅａ）を備えており、
（ｄ）前記プロセサーは更に
（ｉ）該第１ディスプレーエンティティレイアウトにより規定（ｄｅｆｉｎｅｄ）されたディスプレーエンティティボックス内に該前ディスプレーエンティティを表示するよう該主ディスプレーに命令（ｉｎｓｔｒｕｃｔ）し、
（ｉｉ）該新ディスプレーエンティティが表示用に選択されたかを決定（ｄｅｔｅｒｍｉｎｅ）し、
（ｉｉｉ）主ディスプレー範囲がフル（ｆｕｌｌ）でないかを決定し、
（ｉｖ）もし（ｉｉ）及び（ｉｉｉ）が共に真であれば、該第１ディスプレーエンティティレイアウトにより規定された該ディスプレーエンティティボックスを閉じ、そして該新及び前ディスプレーエンティティを収容（ａｃｃｏｍｏｄａｔｅｓ）する第２ディスプレーエンティティレイアウトを決定し、そして
（ｖ）該主ディスプレー範囲内で該第２ディスプレーエンティティレイアウトにより規定されたディスプレーエンティティボックス内に該新及び前ディスプレーエンティティを表示する、よう適合されている。
【０００７】
本発明は、もう１つの側面では、第１ディスプレーエンティティレイアウトに依って少なくとも１つのディスプレーエンティティボックスを表示するよう適合された主ディスプレー範囲を有する主ディスプレー上に新及び前ディスプレーエンティティを表示する方法を提供するが、前記方法は、
（ａ）該新及び前ディスプレーエンティティに付随するデータを記憶する過程と、
（ｂ）該新及び前ディスプレーエンティティに付随するデータを選択的に検索する過程と、
（ｃ）該第１ディスプレーエンティティレイアウトにより規定されたディスプレーエンティティボックス内で主ディスプレー上に該前ディスプレーエンティティを表示する過程と、
（ｄ）該新ディスプレーエンティティがディスプレー用に選択されたかを決定する過程と、
（ｅ）該主ディスプレー範囲がフルでないかを決定する過程と、
（ｆ）もし（ｄ）と（ｅ）が共に真であれば、該第１ディスプレーエンティティレイアウトにより規定された該ディスプレーエンティティボックスを閉じ、そして該新及び前ディスプレーエンティティを収容する第２ディスプレーエンティティレイアウトを決定する過程と、そして
（ｇ）該第２ディスプレーエンティティレイアウトにより規定されたディスプレーエンティティボックス内で主ディスプレー範囲内に該新及び前ディスプレーエンティティを表示する過程と、を具備する。
【０００８】
本発明は、もう１つの側面では、第１及び第２ディスプレーエンティティを表示するディスプレーシステムを提供するが、前記システムは、
（ａ）該第１及び第２ディスプレーエンティティに付随するデータを記憶するためのメモリーと、
（ｂ）該第１及び第２ディスプレーエンティティに付随する画像データを選択的に検索するために前記メモリーに接続されたプロセサーと、
（ｃ）該第１及び第２ディスプレーエンティティを表示するために前記プロセサーに接続されたディスプレーと、を具備しており、前記ディスプレーは、ディスプレーエンティティレイアウトに依り少なくとも１つのディスプレーエンティティボックスを表示するよう適合されたディスプレー範囲を備えており、
（ｄ）前記プロセサーは更に
（ｉ）第１ディスプレーエンティティレイアウトにより規定されたディスプレーエンティティボックス内で該ディスプレー範囲内に該第１及び第２ディスプレーエンティティを表示するよう該ディスプレーに命令し、
（ｉｉ）該第２ディスプレーエンティティが閉じるよう選択されたかを決定し、
（ｉｉｉ）もし（ｉｉ）が真であれば、該第１ディスプレーエンティティレイアウトにより規定された該少なくとも１つのディスプレーエンティティボックスを閉じ、そして該第１ディスプレーエンティティを収容するが該第２ディスプレーエンティティは収容しない第２ディスプレーエンティティレイアウトを決定し、そして
（ｉｖ）該第２ディスプレーエンティティレイアウトにより規定されたディスプレーエンティティボックス内で該ディスプレー範囲内に該第１ディスプレーエンティティを表示する、よう適合されている。
【０００９】
本発明は、もう１つの側面では、ディスプレーエンティティレイアウトに依って少なくとも１つのディスプレーエンティティボックスを表示するよう適合されたディスプレー範囲を有するディスプレー上に、第１及び第２ディスプレーエンティティを表示する方法を提供するが、前記方法は、
（ａ）該第１及び第２ディスプレーエンティティに付随するデータを記憶する過程と、
（ｂ）前記第１及び第２ディスプレーエンティティに付随するデータを選択的に検索する過程と、
（ｃ）第１ディスプレーエンティティレイアウトにより規定されたディスプレーエンティティボックス内で該ディスプレー範囲内に該第１及び第２ディスプレーエンティティを表示する過程と、
（ｄ）該第２ディスプレーエンティティが閉じるよう選択されたかを決定する過程と、
（ｅ）もし（ｄ）が真であれば、該第１ディスプレーエンティティレイアウトにより規定された該少なくとも１つのディスプレーエンティティボックスを閉じ、そして該第１ディスプレーエンティティを収容するが該第２ディスプレーエンティティは収容しない第２ディスプレーエンティティレイアウトを決定する過程と、そして
（ｆ）該第２ディスプレーエンティティレイアウトにより規定されたディスプレーエンティティボックス内で該ディスプレー範囲内に該第１ディスプレーエンティティを表示する過程と、を具備する。
【００１０】
本発明は、もう１つの側面では、第１及び第２ディスプレーエンティティを表示するディスプレーシステムを提供するが、前記システムは、
（ａ）該第１及び第２ディスプレーエンティティに付随するデータを記憶するためのメモリーと、
（ｂ）該第１及び第２ディスプレーエンティティに付随するデータを選択的に検索するために前記メモリーに接続されたプロセサーと、
（ｃ）該第１及び第２ディスプレーエンティティを表示するために前記プロセサーに接続されたディスプレーと、を具備しており、前記ディスプレーは左及び頂部側部を有するディスプレー範囲を備えており、前記ディスプレーは又、第１ディスプレーエンティティレイアウトにより少なくとも１つの第１ディスプレーエンティティボックスを、そして第
２ディスプレーエンティティレイアウトにより少なくとも１つの第２ディスプレーエンティティボックスを、を表示するよう適合されており、
（ｄ）前記プロセサーは更に
（ｉ）第１ディスプレーエンティティレイアウトにより、該第１ディスプレーエンティティボックス内に該第１ディスプレーエンティティを表示するよう該ディスプレーに命令し、
（ｉｉ）該第２ディスプレーエンティティレイアウトが選択されたかを決定し、
（ｉｉｉ）もし（ｉｉ）が真であれば、該第１ディスプレーエンティティレイアウトにより規定された該第１ディスプレーエンティティボックスを閉じ、そして該第２ディスプレーエンティティレイアウトにより規定された第２ディスプレーエンティティボックス内に該第１及び第２ディスプレーエンティティを表示するよう適合されている。
【００１１】
本発明は、もう１つの側面では、左及び頂部側部を有するディスプレー範囲を備えるディスプレー上に第１及び第２ディスプレーエンティティを表示する方法を提供するが、前記ディスプレーは又、第１ディスプレーエンティティレイアウトにより少なくとも１つの第１ディスプレーエンティティボックスを、そして第２ディスプレーエンティティレイアウトにより少なくとも１つの第２ディスプレーエンティティボックスを、表示するよう適合されており、前記方法は、
（ａ）該第１及び第２ディスプレーエンティティに付随する画像データを記憶する過程と、
（ｂ）該第１及び第２ディスプレーエンティティに付随する画像データを選択的に検索する過程と、
（ｃ）該第１ディスプレーエンティティレイアウトにより第１ディスプレーエンティティボックス内に該第１ディスプレーエンティティを表示する過程と、
（ｄ）第２ディスプレーエンティティレイアウトが選択されたかを決定する過程と、
（ｅ）もし（ｄ）が真であれば、該第１ディスプレーエンティティレイアウトにより規定された該第１ディスプレーエンティティボックスを閉じ、そして該第２ディスプレーエンティティレイアウトにより規定された第２ディスプレーエンティティボックス内に該第１及び第２ディスプレーエンティティを表示する過程と、具備する。
【００１２】
本発明は、もう１つの側面では、ディスプレーエンティティを表示するためのディスプレーシステムを提供するが、前記ディスプレーエンティティはディスプレーサブエンティティ（ｄｉｓｐｌａｙ  ｓｕｂ−ｅｎｔｉｔｉｅｓ）を有しており、前記システムは、
（ａ）該ディスプレーエンティティに付随するデータを記憶するためのメモリーと、
（ｂ）該ディスプレーエンティティに付随するデータを選択的に検索するために前記メモリーに接続されたプロセサーと、
（ｃ）該ディスプレーエンティティを表示するために前記プロセサーに接続された原始ディスプレー（ｏｒｉｇｉｎａｌ  ｄｉｓｐｌａｙ）と、を具備しており、前記原始ディスプレーは少なくとも１つのディスプレーサブエンティティを表示するよう適合された原始ディスプレー範囲（ｏｒｉｇｉｎａｌ  ｄｉｓｐｌａｙ  ａｒｅａ）を備えており
（ｄ）前記システムは又該ディスプレーエンティティを表示するために前記プロセサーに接続された隣接ディスプレー（ａｄｊａｃｅｎｔ  ｄｉｓｐｌａｙ）を具備しており、前記隣接ディスプレーは少なくとも１つのディスプレーサブエンティティを表示するよう適合された隣接ディスプレー範囲（ａｄｊａｃｅｎｔ  ｄｉｓｐｌａｙ  ａｒｅａ）を備えており、
（ｅ）前記プロセサーは更に
（ｉ）該原始ディスプレー範囲内のディスプレーエンティティボックス内に該ディスプレーエンティティを表示し、
（ｉｉ）該ディスプレーエンティティのミラーリング（ｍｉｒｒｏｒｉｎｇ）が選択されたかを決定し、
（ｉｉｉ）もし（ｉｉ）が真であれば、該原始ディスプレー範囲内の該ディスプレーエンティティの第１ディスプレーサブエンティティと、該隣接ディスプレー範囲内に該ディスプレーエンティティの第２ディスプレーサブエンティティと、を表示するよう適合されている。
【００１３】
本発明は、もう１つの側面では、原始ディスプレー及び隣接ディスプレー上にディスプレーエンティティを表示する方法を提供するが、前記ディスプレーエンティティはディスプレーサブエンティティを有し、該原始ディスプレーは原始ディスプレー範囲を有しそして該隣接ディスプレーは隣接ディスプレー範囲を有しており、前記方法は、
（ａ）該ディスプレーエンティティに付随する画像データを記憶する過程と、
（ｂ）該ディスプレーエンティティに付随するデータを選択的に検索する過程と、
（ｃ）該原始ディスプレー範囲内のディスプレーエンティティボックス内に該ディスプレーエンティティを表示する過程と、
（ｄ）該ディスプレーエンティティのミラーリングが選択されたかを決定する過程と、そして
（ｅ）もし（ｄ）が真であれば、該原始ディスプレー範囲内に該ディスプレーエンティティの該第１ディスプレーサブエンティティを、そして該隣接ディスプレー範囲内に該ディスプレーエンティティの該第２ディスプレーサブエンティティを、表示する過程と、を具備する。
【００１４】
本発明の更に進んだ側面と利点は付属する図面と一緒に行われる下記説明から明らかになるであろう。
【実施例１】
【００１５】
最初に、本発明の好ましい実施例により作られた画像ディスプレーシステム（ｉｍａｇｅ  ｄｉｓｐｌａｙ  ｓｙｓｔｅｍ）１０の、基本的部品を図解する図１及び２を参照する。画像ディスプレーシステム１０は画像処理モジュール（ｉｍａｇｅ  ｐｒｏｃｅｓｓｉｎｇ  ｍｏｄｕｌｅ）１２，タイリングモジュール（ｔｉｌｉｎｇ  ｍｏｄｕｌｅ）１４，閉止モジュール（ｃｌｏｓｕｒｅ  ｍｏｄｕｌｅ）１６，リタイリングモジュール（ｒｅｔｉｌｉｎｇ  ｍｏｄｕｌｅ）１８，ミラーリングモジュール（ｍｉｒｒｏｒｉｎｇ  ｍｏｄｕｌｅ）２０，ディスプレードライバー（ｄｉｓｐｌａｙ  ｄｒｉｖｅｒ）２２，そしてユーザー選択データベース（ｕｓｅｒ  ｐｒｅｆｅｒｅｎｃｅ  ｄａｔａｂａｓｅ）２４を有する。示される様に、１つ以上のディスプレーエンティティ（ｄｉｓｐｌａｙ  ｅｎｔｉｔｉｅｓ）２７（図１）｛すなわち医学的検査結果（ｍｅｄｉｃａｌ  ｅｘａｍｓ）｝に付随する画像データ（ｉｍａｇｅ  ｄａｔａ）はモダリティ（ｍｏｄａｌｉｔｙ）１３により発生され、画像サーバー（ｉｍａｇｅ  ｓｅｒｖｅｒ）１５上の画像データベース（ｉｍａｇｅ  ｄａｔａｂａｓｅ）１７内に記憶されるが、そこではそれは画像ディスプレーシステム１０により検索され得る。ディスプレーエンティティ２７はスタディ（ｓｔｕｄｉｅｓ）３０，シリーズ（ｓｅｒｉｅｓ）４０，又は画像（ｉｍａｇｅｓ）５０を含む種々の形になり得る。加えて、１つ以上のスタディ３０，シリーズ４０又は画像５０は特定の患者に付随するのが典型的であることは理解されるべきである。スタディ３０の指標（ｉｎｄｅｘ）は非診断ディスプレー（ｎｏｎ−ｄｉａｇｎｏｓｔｉｃ  ｄｉｓｐｌａｙ）２１上に表示されるスタディリスト３２内で提供される。示されるユーザーワークステーション１９を通して開業医ユーザー１１により発行されるコマンド（ｃｏｍｍａｎｄｓ）に応答して、画像ディスプレーシステム１０はディスプレードライバー２２を通してスタディ３０に付随する画像データを主及び補足診断ディスプレー（ｐｒｉｍａｒｙ  ａｎｄ  ｓｕｐｐｌｅｍｅｎｔａｌ  ｄｉａｇｎｏｓｔｉｃ  ｄｉｓｐｌａｙｓ）２３，２５に提供する。画像ディスプレーシステム１０は、ユーザー１１用のより直感的診断環境（ｍｏｒｅ  ｉｎｔｕｉｔｉｖｅ  ｄｉａｇｎｏｓｔｉｃ  ｅｎｖｉｒｏｎｍｅｎｔ）に帰着するスタディ３０の直接操作（ｄｉｒｅｃｔ  ｍａｎｕｐｉｌａｔｉｏｎ）を可能にするため、背景的に（ｃｏｎｔｅｘｔｕａｌｌｙ）そしてダイナミックに（ｄｙｎａｍｉｃａｌｌｙ）働く。ユーザーワークステーション（Ｕｓｅｒ  ｗｏｒｋｓｔａｔｉｏｎ）１９は図１に示す様に、キーボード（ｋｅｙｂｏａｒｄ）７とユーザーポインティングデバイス（ｕｓｅｒ−ｐｏｉｎｔｉｎｇ  ｄｅｖｉｃｅ）９（例えば、マウス）を有する。ユーザーワークステーション１９は入力及びディスプレー手段を有する何等かの有線又は無線のパーソナル計算デバイスにより実現され得ることは理解されるべきである［例えば、従来のパーソナルコンピュータ、ラップトップ計算デバイス（ｌａｐｔｏｐ  ｃｏｍｐｕｔｉｎｇ  ｄｅｖｉｃｅ）、パーソナルデジタルアシスタント（ｐｅｒｓｏｎａｌ  ｄｉｇｉｔａｌ  ａｓｓｉ���ｔａｎｔ）｛ピーデーエイ（ＰＤＡ）｝他］。
【００１６】
ユーザーワークステーション１９は非診断ディスプレー２１，主診断ディスプレー２３そして補足診断ディスプレー２５に動作的に接続される。画像ディスプレーシステム１０はユーザーワークステーション１９及びユーザーポインティングデバイス９を通してのユーザー入力により、画像ディスプレーフォーマッティング（ｉｍａｇｅ  ｄｉｓｐｌａｙ  ｆｏｒｍａｔｔｉｎｇ）を提供するよう使われる。画像ディスプレーシステム１０は、ユーザーワークステーション１９がクライアント−サーバー構成（ｃｌｉｅｎｔ−ｓｅｒｖｅｒ  ｃｏｎｆｉｇｕｒａｔｉｏｎ）内の中央画像サーバーと共に働くよう、ユーザーワークステーション１９のハードドライブ（ｈａｒｄ  ｄｒｉｖｅ）及び／又は中央画像サーバー上にインストール（ｉｎｓｔａｌｌｅｄ）される。
【００１７】
非診断ディスプレー２１はスタディ３０の選択用に最適化され、ユーザーにスタディリスト３２を提供する（図２）。スタディリスト３２はディスプレー用に利用可能なディスプレーエンティティ（例えば、スタディズ３０）２７のテキストフオーマットのリスト化を提供する。スタディリスト３２は又付随する識別用指標（例えば、ボデイ部分、モダリティ、他）を含み、最近の及び従来のスタディカテゴリー内にスタディ３０を組織する。典型的に、ユーザー１１はスタディリスト３２を検査（ｒｅｖｉｅｗ）し、リスト化されたスタディ３０を選択する。ユーザー１１がスタディ３０を選択すると、該選択されたスタディ３０は、後で論じられる様に、如何に多くのスタディ３０が既に主及び補足診断ディスプレー２３及び２５上に既に表示されているかに依り、主診断ディスプレー２３又は補足診断ディスプレー２５上に表示される。スタディ３０の選択でユーザー１０を助けるよう、他の付随テキスト情報（例えば、患者情報、画像解像度品質、画像取り込み日付、他）がスタディリスト３２内に同時に表示される。従来のオペレーティングシステム｛例えば、ウインドウズエヌテー（Ｗｉｎｄｏｗｓ  ＮＴ）｝をラン（ｒｕｎ）させるのに充分な処理パワー（ｐｒｏｃｅｓｓｉｎｇ  ｐｏｗｅｒ）を有する従来のカラーコンピュータモニター（例えば、１０２４＊７６８の解像度を有するカラーモニター）を使って非診断ディスプレー２１が実現されるのが好ましい。このディスプレーはユーザー１１にテキスト情報を表示するのみなので、非診断ディスプレー２１用には高解像度グラフィックス（Ｈｉｇｈ  ｒｅｓｏｌｕｔｉｏｎ  ｇｒａｐｈｉｃｓ）は必ずしも必要でない。
【００１８】
主診断ディスプレー２３はディスプレー範囲３５上でユーザー１１にディスプレーエンティティ２７（例えばスタディ３０）の高解像度画像ディスプレーを提供する（図２）。主診断ディスプレー２３上に表示される該スタディ３０は典型的に現在の（ｃｕｒｒｅｎｔ）スタディ３０である（すなわち、“今日の（ｔｏｄａｙ’ｓ）”検査結果（ｅｘａｍ）からの画像データ）。図２に示す様に、スタディ３０はディスプレー範囲３５内で規定されたスタディボックス３４内に表示される。スタディボックス３４は種々の寸法を有し、後で詳細に説明される様に、適切なスタディレイアウトを使って規定される。主診断ディスプレー２３は、シーテー（ＣＴ）及びエムアール（ＭＲ）スタディの視認用に典型的に使われる比較的高解像度を有する医学的画像形成品質ディスプレーモニター（ｍｅｄｉｃａｌ  ｉｍａｇｉｎｇ  ｑｕａｌｉｔｙ  ｄｉｓｐｌａｙ  ｍｏｎｉｔｏｒｓ）を使って実現されるのが好ましい｛例えば、１２８０−１０２４以上の解像度を有する白黒の“読み出し用（ｒｅａｄｉｎｇ）”モニター｝。
【００１９】
補足診断ディスプレー２５はディスプレー範囲３７上でユーザー１１にスタディ３０の高解像度画像ディスプレーを提供する（図２）。補足診断ディスプレー２５は、主ディスプレー２３上に示されるディスプレーエンティティ２７のセット（例えば、現在のスタディからのスタディズ３０）と比較用にディスプレーエンティティ２７のもう１つのセット（例えば、前のスタディからのスタディ３０）を表示するためユーザー１１により使われるのが典型的である。それは目が左から右へ、非診断ディスプレー２１から診断ディスプレー２３，２５へ、動くことを可能にするので、図２に示される３つのディスプレー２１，２３及び２５の、左から右への位置付けが開業医ユーザー１１に一般に好ましいことから決定された。図２に示す様に、スタディズ３０はディスプレー範囲３７内で規定されるスタディボックス３４内に再び表示される。又上記で述べた様に、スタディボックス３４は可変の寸法を有し、後で説明される様に適切なスタディレイアウト３６を使って規定される。該主診断ディスプレー２３に於ける様に、補足診断ディスプレー２５は、シーテー及びエムアールスタディ視認用に典型的に使われる比較的高解像度を有する医学的画像形成品質ディスプレーモニターを使って実現されるのが好ましい（例えば、１２８０−１０２４以上の解像度を有する白黒の“読み出し用（ｒｅａｄｉｎｇ）”モニター）。１つ、２つ以上のディスプレーの使用を含め多くの他の種類のディスプレー構成が画像ディスプレーシステム１０内で使われ得ることは理解されるべきである。
【００２０】
モダリティ１３は、患者の医学的検査結果に対応する画像データを発生するため使われる何等かの従来の画像データ発生デバイス［例えば、コンピュータ化放射線写真技術｛シーアール（ＣＲ）｝システム、コンピュータ化トモグラフィー（ｃｏｍｐｕｔｅｄ  ｔｏｍｏｇｒａｐｈｙ）｛シーテー（ＣＴ）｝スキャナー、核磁気共鳴画像形成｛エムアールアイ（ＭＲＩ）｝システム、ポジトロン放射トモグラフィ（ｐｏｓｉｔｒｏｎ  ｅｍｉｓｓｉｏｎ  ｔｏｍｏｇｒａｐｈｙ）｛ピーイーテー（ＰＥＴ）｝、超音波システム（ｕｌｔｒａｓｏｕｎｄ  ｓｙｓｔｅｍｓ）、他］である。モダリティ１３で発生される画像データは次いで診断を行うため使われる（例えば、疾病部分又は損傷の存否を調査するため、又は該疾病部分又は損傷の特性を確かめるため）。モダリティ１３は１つの場所又は医学的設備の様な設備内に位置付けられるか又は相互に遠隔にあってもよい。モダリティ１３からの画像データは従来公知の様に画像サーバー１５内の画像データベース１７内に記憶される。
【００２１】
画像処理モジュール１２はユーザーワークステーション１９からユーザー１１により送られるユーザーコマンド及びユーザー選択データベース２４からの記憶されたユーザーディスプレー選択に応答して、タイリングモジュール１４、閉止モジュール１６，リタイリングモジュール１８そしてミラーリングモジュール２０の活動を協調させる。
【００２２】
特に、画像処理モジュール１２は、種々のディスプレーモニター２１，２３及び２５上に表示される特定のディスプレーエンティティ２７（例えば、スタディズ３０）が、全体的医学画像形成システムの使用能力を改善するため選択され、フォーマットし直された、仕方で、表示されるべきことを示す要求を、ユーザーワークステーション１９から受けるよう適合されている。本発明により提供される種々の種類の画像ディスプレーフォーマッティングとディスプレーオプションが論じられる。
【００２３】
タイリングモジュール１４はユーザー１１に、主及び補足ディスプレー範囲３５及び３７内にタイリング機能を提供するため、画像処理モジュール１２により使われる（図２）。新ディスプレーエンティティ２７（例えば、スタディ３０）が追加されると、それらは好ましいフォーマットでディスプレー範囲３５，３７に追加される。
【００２４】
特に、スタディボックス３４は、それらが、既に表示されたスタディボックス３４とディスプレー範囲３５，３７の比例部分を共有するよう、ディスプレー範囲３５，３７内に追加される。加えて、最大数のスタディボックス３４（図２）がディスプレー範囲３５、３７内でフォーマットされると、スタディズ３０は、左から右又は右から左のオープニングプロトコル（ｏｐｅｎｉｎｇ  ｐｒｏｔｏｃｏｌ）によりもう１つのディスプレー範囲３７，３５上へ“ラップされる（ｗｒａｐｐｅｄ）”。タイリングモジュール１４はユーザーが、現在のスタディ（複数を含む）３０を阻止又はカバーする新しい重なり合い画像ウインドウを開始する（ｌａｕｎｃｈｉｎｇ  ｎｅｗ  ｏｖｅｒｌａｐｐｉｎｇ  ｉｍａｇｅ  ｗｉｎｄｏｗｓ）ことによるよりも、寧ろそれらをタイリングすることにより、種々のスタディ３０を比較することを可能にする。
【００２５】
閉止モジュール１６は主及び補足ディスプレー範囲３５及び３７内の画像閉止機能をユーザに提供するため画像処理モジュール１２により使われる。閉止モジュール１６はユーザー１１が、望ましいスタディ３０を望まないスタディ（スタディズを含む）３０上にドラグ（ｄｒａｇｇｉｎｇ）することにより、主及び補足ディスプレー範囲３５，３７内でディスプレーエンティティ２７（例えばスタディズ３０）の寸法及び配置を直接操作（ｄｉｒｅｃｔｌｙ  ｍａｎｉｐｕｌａｔｅ）することを可能にする。これは望まないスタディ（スタディズを含む）３０が閉じられ、加えて望ましいスタディ３０が、該望まないスタディズ３０により前に占められていたディスプレー範囲を占めるよう寸法決め直しされることに帰着する。
【００２６】
リタイリングモジュール１８は、主及び補足ディスプレー範囲３５及び３７内のユーザー始動（ｕｓｅｒ−ｉｎｉｔｉａｔｅｄ）のリタイリング機能を提供するよう画像処理モジュール１２により使われる。リタイリングモジュール１８はユーザー１１が、ディスプレーエンティティ２７（例えば、スタディボックス３４）を選択し、それらを全利用可能スペースを充たすようダイナミックに拡張及び収縮させることを可能にし、ユーザー１１が特定的にそして個別にスタディズ３０を寸法決め直しする必要を減じる（すなわち必要なユーザーインターフエース相互作用を減じる）。
【００２７】
ミラーリングモジュール２０はユーザー１１に主及び補足ディスプレー範囲３５及び３７内の画像ミラーリング機能を提供するため画像処理モジュール１２により使われる。ミラーリングモジュール２０はユーザー１１が主及び補足ディスプレー範囲３５及び３７を横切ってディスプレーエンティティ２７（例えば、スタディ３０内のシリーズ、又はシリーズ４０内の画像５０）の進行を続けることを可能にする。該ミラーリング機能は後で説明される様に、原始（０ｒｉｇｉｎａｌ）及び隣接（ａｄｊａｃｅｎｔ）ディスプレー上に特定スタディ３０用にシリーズ４０内の関連画像を表示するためディスプレープロトコル｛例えば、“１つだけ進められた（ａｄｖａｎｃｅｄ  ｂｙ  ｏｎｅ）”｝を使う。
【００２８】
ディスプレードライバー２２は商業的に入手可能なハードウエア及びソフトウエアを使って実現される従来のディスプレースクリーンドライバーである。図２に示す様に、ディスプレードライバー２２は、種々のディスプレーエンティティ２７（例えば、スタディ３０，シリーズ４０，画像５０、他）が適切なレイアウト（例えば、スタディレイアウト３６，シリーズレイアウト４６，画像レイアウト５６，他）を使ってディスプレー範囲３５，３７内に適当なフォーマットで表示されることを保証する。
【００２９】
特に、スタディズ３０はスタディレイアウト３６を使って、ディスプレー範囲３５，３７内に規定されたスタディボックス３４内に表示される。各スタディボックス３４はスタディツールバー３１のみならず、シリーズツールバー（複数を含む）４１及びシリーズボックス（複数を含む）４４も含む。各シリーズボックス４４はシリース４０を表示するため使われる。スタディボックス３４はスタディレイアウト３６を使ってディスプレー範囲３５，３７内に規定される。スタディレイアウト３６はディスプレー範囲３５，３７を、スタディボックス３４が中に配置される多数の領域へと分割するため使われる。
【００３０】
同様に、シリーズボックス４４はシリーズレイアウト４６を使ってスタディボックス３４内に規定される（図２）。スタディレイアウト３６又はシリーズレイアウト４６内の副分割される領域の特定の限界は、使われるディスプレーの人間工学的限界（ｅｒｇｏｎｏｍｉｃ  ｌｉｍｉｔａｔｉｏｎｓ）及びユーザーの選択（ｕｓｅｒ  ｐｒｅｆｅｒｅｎｃｅｓ）によってのみ限定される。スタディレイアウト３６とシリーズレイアウト４６の特定の選出は、ディスプレーの特徴（すなわち、タイリング、画像閉止、リタイリング又はミラーリング）がそれに依るようユーザー１１が賦活する画像処理モジュール１２により行われる。
【００３１】
又、図２に示す様に、画像５０も又画像レイアウト５６を使ってシリーズボックス４４内に表示され得る。画像５０もこの仕方で表示され得ることは理解されるべきであるが、画像５０はそれらの周りの何等か特定の境界又は“ボックス（ｂｏｘ）”無しに提供されるのが好ましい。ディスプレードライバー２２は適切にフォーマットされたスタディ３０と組み合わされた画像データを提供するので、スタディ３０はスタディボックス３４内に適切に表示され、そして／又は、シリーズ４０又は画像５０はシリーズボックス４４内に適切に表示される。
【００３２】
画像ディスプレーシステム１０の機能がディスプレー範囲３５内でスタディボックス３４内のスタディズ３０の表示及び配置と関連して論じられたが（すなわち“スタディ”レベルで）、画像ディスプレーシステム１０の機能が規定されたディスプレー範囲内の何等かの他のディスプレーエンティティ２７の表示及び配置に等しく適用可能であることは理解されるべきである｛例えば、ディスプレー範囲３５内の患者ディスプレーボックス（示されてない）、そしてシリーズボックス４４内のシリーズ４０及び画像５０、他｝。一般に、タイリングモジュール１４，閉止モジュール１６，リタイリングモジュール１８そしてミラーリングモジュール２０の機能はユーザー１１にディスプレーエンティティ２７を表示するため使われるどんなディスプレーシステムにも適用可能であることは理解されるべきである。
【００３３】
今図１，２，そして３を参照すると、画像ディスプレーシステム１０の基本的動作が図解されている。図３は画像ディスプレーシステム１０の基本的動作過程を図解する。上述の様に、画像ディスプレーシステム１０の一般的動作がスタディ（複数を含む）３０と関連して論じられるが、説明されるタイリング機能は、例えば個別のシリーズ４０，画像５０等の様などんな他の種類のディスプレーエンティティ２７にも等しく適用可能である。
【００３４】
過程（５２）で、ユーザー１１がユーザーワークステーション１９のキーボード７及び／又はマウス９を使って（例えば、非診断ディスプレー２１のスタディリスト３２内にリスト化された望まれるスタディズ３０上をクリックすることにより）新スタディ３０のディスプレーを要求しているかが決定される。ユーザーは少なくとも２つの方法で新スタディ３０を開くことが出来て、各場合に、後で説明される様に、タイリングモジュール１４が賦活される。
【００３５】
第１に、ユーザー１１はマウスボタン９を使って非診断ディスプレー上のスタディリスト３２からスタディ３０を選択し、該スタディ３０を主又は補足診断ディスプレー２３，２５上の特定の場所までドラグし、次いで該マウス９のボタンをリリースする。第２に、ユーザー１１は単にスタディリスト３２からスタディ３０を選択することが出来る（例えば、スタディ３０のテキスト表現上をダブルクリックすることにより）。これらが新スタディ３０を開く２つの例示的方法に過ぎず、多くの他の方法が画像処理モジュール１２に
より使用され、タイリングモジュール１４をトリガーする指示として認識されることは理解されるべきである。
【００３６】
もしユーザーが新スタディ３０のディスプレーを請求したなら、過程（５４）で、画像処理モジュール１２は該請求された新スタディ３０に付随する画像データを画像サーバー１５に請求する。画像サーバー１５は該請求された画像データを識別し、それを画像データベース１７から検索する。次いで、過程（５６）で、画像処理モジュール１２は、後で詳細に説明される様に、該新スタディ３０に関するタイリングを行うためにタイリングモジュール１４を賦活する。
【００３７】
一般的に言って、ディスプレー用にユーザー１１により選択された新スタディ３０は現在表示されている（もし何等かあれば）前スタディ（複数を含む）３０を、該前スタディ（複数を含む）３０と該新スタディ３０が最適化されたスタディレイアウト３６により規定されるようにディスプレー範囲３５，３７の比例部分を共有するべくフォーマットし直されさせる。加えて、スタディボックス３４の最大数がディスプレー範囲３５又は３７内に形成されるので、スタディズ３０は左から右又は右から左のオープニングプロトコルに依り、もう１つのディスプレー範囲３７、３５上へ“ラップ（ｗｒａｐｐｅｄ）”される。これらの特定の機能は後で詳細に論じられる。過程（５８）で、何等かの前スタディ３０と一緒に該新スタディ３０は、最適化されたスタディレイアウト３６により規定されたスタディボックス３４内に表示される。すなわち、リタイリングインストラクションと一緒に、該新スタディ３０に付随する画像データがディスプレードライバー２２に提供される。ディスプレードライバー２２は今度は該新スタディ３０と何等かの前スタディズ３０を、適切に主及び／又は補足的ディスプレー２３，２５上に表示されさせる。
【００３８】
もしユーザー１１が新スタディ３０を開かなかったなら、ユーザー１１が該スタディ３０の何れかを直接操作しているかが決定される。スタディ３０を直接操作するためには、該ユーザーは最初に操作するスタディ３０を選択せねばならない。ユーザー１１はスタディリスト３２からスタディを選択することにより、上記で論じた様にスタディを選択することが出来る。ユーザー１１は又スタディツールバー３１の何れかのセクションを選択する｛すなわち、“上をクリックする（ｃｌｉｃｋｉｎｇ  ｏｎ）”｝ことにより直接操作用にスタディ３０を選択出来る。加えて、ユーザー１１はスタディボックス３４の寸法を変えるために、スタディ３０に付随するハンドルタグ（ＨＡＮＤＬＥ  ｔａｇ）９７を選択することが出来る。特に、過程（６１）で、ユーザー１１が第１スタディ３０ａを第２スタディ３０ｂ上にドラグしたかが決定される。典型的に、この機能は、ユーザー１１が最早第２スタディ３０ｂを見ることに興味がなく、第１スタディ３０ａの画像範囲を増加したい場合、使われる。ユーザー１１はこの様な効果を少なくとも２つの方法で達成出来る。第１には、ポインティングデバイス９を使って第１スタディ３０ａに付随するハンドルタグ９７を選択し（図２）、該第１スタディ３０ａの該ハンドルタグ９７を該第２スタディ３０ｂの該スタディボックス３４の（例えば、底部）エッジ上に動かす（図５Ｂ）ことで、第１スタディ３０ａを第２スタディ３０ｂ上にドラグすることが出来る。第２には、ユーザー１１は、該第１スタディ３０ａに付随するスタディツールバー３１を選択し、それを該第２スタディ３０ｂのスタディボックス３４のエッジ（例えば、底部）上にドラグすることにより、第１スタディ３０ａを第２スタディ３０ｂ上にドラグすることが出来る。
【００３９】
もしユーザー１１が第２スタディ３０ｂ上に第１スタディ３０ａをドラグしたならば、過程（６３）で、画像処理モジュール１２は第２スタディ３０ｂを閉じるために閉止モジュール１６を賦活する。過程（６５）で、画像処理モジュール１２は、後で説明される様に、最近閉じた第２スタディ３０ｂにより解放されたディスプレー範囲を利用するために第１スタディ３０に付随したスタディボックス３４を寸法決め直しするためリタイリングモジュール１８を賦活する。
【００４０】
過程（６２）で、ユーザー１１がスタディ３０のリタイリングを直接請求したかが決定される。特に、ユーザー１１は、ユーザー１１がスタディボックス３４の底部右コーナーのグラフィカルハンドルタグ（ｇａｐｈｉｃａｌ  ＨＡＮＤＬＥ  ｔａｇ）９７を選択し、それを寸法決め直されたスタディボックス３４を形成するためにスタディボックス３４内にドラグした時、リタイリングが望まれたことを指示する。代わりに、ユーザー１１は又スタディツールバー３１内に配置されたボタン／プルダウンメニュー（ｂｕｔｔｏｎ／ｐｕｌｌ  ｄｏｗｎ  ｍｅｎｕ）を通してリタイリングモジュール１８のリタイリング機能を賦活することも出来る。
【００４１】
もしユーザー１１がスタディ３０のリタイリングを直接請求したなら、過程（６５）で、画像処理モジュール１２はリタイリングを行うためリタイリングモジュール１８を賦活する。最初に、リタイリングモジュール１８は、寸法で該ユーザー１１により作られたリタイリングスタディボックスと最も近くマッチする適切なスタディレイアウト３６を決定する。一旦ユーザー１１がハンドルタグ９７をリリースすると、リタイリングモジュール１８は最後に選択され、寸法決め直されたスタディボックスに付随する該選択されたスタディレイアウト３６を使用し、それを、後で説明される様に、該スタディレイアウト３６内の全ての表示されたスタディ（複数を含む）を再表示するため使用する。
【００４２】
過程（６４）では、ユーザー１１がミラーリング機能を選択したかが決定される。ユーザー１１は、最初にスタディ３０をその範囲上へドラグすることにより該隣接診断ディスプレー（ａｄｊａｃｅｎｔ  ｄｉａｇｎｏｓｔｉｃ  ｄｉｓｐｌａｙ）（例えば、補足診断ディスプレー２５）をイネーブルにさせ、次いで結果としてスタディツールバー３１内に現れるミラーボタン９９（図７Ｂ）を選択することにより、原始診断ディスプレー（ｏｒｉｇｉｎａｌ  ｄｉａｇｎｏｓｔｉｃ  ｄｉｓｐｌａｙ）（例えば、主診断ディスプレー２３）上に現在表示されている画像シリーズのミラーリングを選択する。これらの過程を実行することにより、該ユーザー１１は該隣接ディスプレー（例えば、補足診断ディスプレー２５）上にミラーされたシリーズを表示したい要求を示す。
【００４３】
もしユーザー１１がミラーリング機能を請求するなら、過程（６６）で、画像処理モジュール１２はスタディ３０のミラーリングを行うためにミラーリングモジュール２０を賦活する。ミラーリングモジュール２０は原始診断ディスプレー（例えば、主診断ディスプレー２３）上に表示される特定のスタディ３０のシリーズ４０を取り、更に説明されるディスプレープロトコルに従って、隣接診断ディスプレー（例えば、補足診断ディスプレー２５）上に特定の画像セット（例えば、各シリーズ４０の第２画像）を表示する。
【００４４】
過程（６８）では、リタイリングインストラクションと一緒に該請求されたスタディ（複数を含む）３０に付随する画像データがディスプレードライバー２２に提供される。ディスプレードライバー２２は今度は該新スタディ３０を主及び／又は補足ディスプレー２３，２５上に適切な様に表示されさせる。表示されるべき全スタディ（複数を含む）３０は、タイリングモジュール１３，閉止モジュール１６，リタイリングモジュール１８そしてミラーリングモジュール２０の機能のみならず、ユーザー１１により選択されそしてユーザー選択データベース２４に記憶される好ましいデフォールトのディスプレー設定（ｐｅｒｆｅｒｒｅｄ  ｄｅｆａｕｌｔ  ｄｉｓｐｌａｙ  ｓｅｔｔｉｎｇｓ）も使って寸法決め直しされ、フォーマットし直される。
【００４５】
図４Ａ及び４Ｂは共に、ユーザー１１が新スタディ３０を選択された診断ディスプレー２３，２５上へドラグすることにより画像ディスプレーシステム１０のタイリング機能を直接働かせる（ｅｎｇａｇｅｓ）時の、画像ディスプレーシステム１０のユーザー始動タ
イリング機能（ｕｓｅｒ−ｉｎｉｔｉａｔｅｄ  ｔｉｌｉｎｇ  ｆｕｎｃｔｉｏｎａｌｉｔｙ）を図解する。
【００４６】
特に、図４Ａは、ユーザー１１が新スタディ３０を選択し、該スタディ３０が診断ディスプレー２３，２５上で何処に位置付けられるべきかを指定する状況に於いて、ユーザー始動タイリング機能を提供するためにタイリングモジュール１４と画像処理モジュール１２により行われる処理過程１００を図解するフローチャートである。用語“新スタディ”がユーザー１１が操作用に最も最近に選択したスタディを説明するため使われることは注意されるべきである。又、ユーザー始動タイリングモジュール１４のこの特徴はスタディ（複数を含む）３０に関連して論じられるが、説明されるユーザー始動タイリング機能は特定のスタディ３０内で開かれる個別シリーズ４０にも等しく適用可能であることは理解されるべきである。
【００４７】
過程（１０２）で、ユーザー１１は多数の方法の中でユーザー始動のタイリング用に新スタディ３０ａを選択する。第１に、ユーザー１１はマウス９ボタンを使ってスタディリスト３２からスタディ３０を選択して、該スタディ３０を主又は補足診断ディスプレー２３，２５上の特定場所にドラグし、次いで該マウス９ボタンをリリースする。第２に、ユーザー１１はスタディツールバー３１（又はシリーズツールバー４０）を選択することにより現在表示されているスタディ３０（又はシリーズ４０）を選択することが出来て、それを主又は補足的診断ディスプレー２３，２５上のもう１つの位置へドラグする。後者のオプションは該ユーザー１１がスタディ（複数を含む）３０（又はシリーズ４０）のそれぞれの位置を“スワップ（ｓｗａｐ）”することを可能にする。再び、これらは画像ディスプレーシステム１０のユーザー始動タイリング機能をトリガーする２つの例示的方法に過ぎず、多くの他の方法が使用され得ることは理解されるべきである。
【００４８】
過程（１０８）で、タイリングモジュール１４は、ユーザー１１が、該現在のスタディ３０ａが何処に位置付けられ又は“落下され（ｄｒｏｐｐｅｄ）”得るかの決定を助ける可視の“キュー（ｃｕｅｓ）”又は“ターゲット（ｔａｒｇｅｔｓ）”を表示する（図４Ｂ）。特に、タイリングモジュール１４は、図４Ｂに示す様に前スタディ３０ｂの水平及び垂直エッジに、新スタディ３０ａが位置付けられ得る指標を表示するようディスプレードライバー２２に命令する（例えば、該水平及び垂直エッジの点線）。加えて、主診断ディスプレー２３ａ上に示す様に、指標（例えば、円）は又、前スタディ３０ｂを新スタディ３０ａで置き換えるために、何処にユーザー１１は現在のスタディ３０ａを“落下”させられ得るかを図解するよう、前スタディ３０ｂの中部内に表示される（図４Ｂ）。
【００４９】
過程（１１０）で、タイリングモジュール１４及び画像処理モジュール１２はユーザー１１が新スタディ３０ａを前のスタディ３０ｂの中部（ｍｉｄｄｌｅ）（そこには図４Ｂに示される様に、置換の円指標が表示される）までドラグし、該マウス９ボタンをリリースしたかを決定する。ユーザー１１が、位置を前のスタディ３０ｂと“スワップ”するためにスタディツールバー３１を使ってスタディ３０をスタディリスト３２又は表示された位置からドラグし得ることはこの点で理解されるべきである。もしそうであるなら、過程（１１２）で、主診断ディスプレー２３ｂ上で（図４Ｂ）、前スタディ３０ｂを閉じ、前スタディ３０ｂの代わりに新スタディ３０ａを開き、位置付けるために画像処理モジュール１２は閉止モジュール１６を呼ぶ（ｃａｌｌｓ）。
【００５０】
過程（１１４）で、タイリングモジュール１４と画像処理モジュール１２は、ユーザー１１が新スタディ３０ａをディスプレー（例えば、主診断ディスプレー２３ａ）上で前スタディ３０ｂの水平エッジ（図４Ｂに示す水平点線）までドラグし、マウス９ボタンをリリースしたかを決定する。ユーザー１１が、位置を前スタディ３０ｂと“スワップ”するためにスタディツールバー３１を使ってスタディ３０をスタディリスト３２又は表示され
た位置からドラグし得ることはこの点で理解されるべきである。もしそうであるなら、過程（１１６）で、タイリングモジュール１４は、選択された診断ディスプレー２３，２５内の水平タイリング用に最適なスタディレイアウト３６を決定し、選択する。該最適スタディレイアウト３６が部分的には、どの水平タイリング指標がユーザー１１により選択されるかに左右されることは理解されるべきである。考慮するための他の要因としては選択された診断ディスプレー２３，２５上に既に表示された多数の前のスタディ３０ｂと、ユーザー選択データベース２４内に記憶されるユーザーの選択と、がある。
【００５１】
過程（１２０）で、タイリングモジュール１４と画像処理モジュール１２は、最適化されたスタディレイアウトを使って水平にタイルされる仕方で新スタディ３０ａと前スタディ３０ｂを配置するようディスプレードライバー２２に命令する（図４Ｂ）。特に、前スタディ３０ｂのスタディボックス３４は、前スタディ３０ｂと新スタディ３０ａが最適化されたスタディレイアウト３６を使って主診断ディスプレー２３（この例では）の表面範囲を比例的に共有するよう、範囲を減じられる。
【００５２】
過程（１１８）で、タイリングモジュール１４と画像処理モジュール１２は、ユーザー１１が新スタディ３０ａを、ディスプレー（例えば、主診断ディスプレー２３ａ）上で前のスタディ３０ｂの垂直エッジ（すなわち、図４Ｂに示す垂直点線）までドラグし、マウス９ボタンをリリースしたかを決定する。ユーザー１１が、位置を前スタディ３０ｂと“スワップ”するために、スタディツールバー３１を使ってスタディ３０をスタディリスト３２又は表示された位置からドラグし得ることはこの点で理解されるべきである。もしそうであるなら、過程（１２１）で、タイリングモジュール１４は、上記で論じられた様に、選択された診断ディスプレー２３，２５内の垂直タイリング用に最適なスタディレイアウト３６を決定し、選択する。過程（１２２）で、タイリングモジュール１４と画像処理モジュール１２は、最適化されたスタディレイアウト（示されてない）を用いて水平的にタイルされる仕方で新スタディ３０ａと前スタディ３０ｂを配置するようディスプレードライバーに命令する。
【００５３】
図４Ｃ，４Ｄ，４Ｅ、４Ｆ，４Ｇ，４Ｈ，そして４Ｉは、ユーザー１１が診断ディスプレー２３，２５上のディスプレー用に新スタディ３０（すなわち、前に表示されなかったもの）を選択する時の、画像ディスプレーシステム１０の自動タイリング機能を図解する。特に、図４Ｃは、ユーザー１１がスタディ３０を自動ディスプレー用に選択した（すなわち、該スタディ３０を診断ディスプレー２３，２５へドラグする、又は他の仕方でディスプレー用にスタディ３０のターゲット位置を指示する、ことなしに“ダブルクリッキング”に依るだけで）時、主及び補足診断ディスプレー２３，２５上で画像自動タイリング機能を提供するために、タイリングモジュール１４と画像処理モジュール１２により実行される処理過程１５０を図解するフローチャートである。タイリングモジュール１４のこの特徴はスタディ（複数を含む）３０に関連して論じられるが、説明される自動タイリング機能は特定のスタディ３０内で開かれる個別シリーズ４０に等しく適用可能であることは理解されるべきである。
【００５４】
過程（１５２）で、ユーザー１１はスタディリスト３２からスタディ３０を選択することにより、自動タイリングルーチン（ａｕｔｏｍａｔｉｃ  ｔｉｌｉｎｇ  ｒｏｕｔｉｎｅ）１５０を始動する（すなわち、“ダブルクリッキング”により）。過程（１５４）で、タイリングモジュール１４は新スタディ３０が表示されるべき最初のスタディ３０であるかを決定する。もしそうであるなら、過程（１５５）で、スタディ３０ａは図４Ｄに示す様に主診断ディスプレー２３上で最大に寸法決めされたスタディボックス３４内に表示される。すなわち、この状況では最適スタディレイアウト３６は主診断ディスプレー３５の最大ディスプレー面積に等しい面積を有するスタディボックス３４を有することになる。典型的に、開業医は主診断ディスプレー２３上のディスプレー用に利用可能な最も最近のスタディ３０を選択し、それなのでこの選択はここで論じられる例示オープニングプロトコル（ｅｘａｍｐｌｅ  ｏｐｅｎｉｎｇ  ｐｒｏｔｏｃｏｌ）に反映される。しかしながら、多くの他のオープニングプロトコルがユーザー１１により選択され、画像ディスプレーシステム１０内で実施され得る。
【００５５】
もし該新スタディ３０ａがディスプレー用の最初のスタディ３０でないなら（最初のスタディ３０ａが主診断ディスプレースタディ２３内に既に表示された図４Ｅの場合に於ける様に）、過程（１５６）で、タイリングモジュール１４は補足ディスプレー範囲３７がフルであるかを決定する。すなわち、補足診断ディスプレー２５に付随するスタディレイアウト３６が更に副分割（ｓｕｂｄｉｖｉｄｅｄ）され得るかが決定される。もしレイアウト３６が更に副分割され得るならば（図４Ｅ、４Ｆ，４Ｇに示す場合に於ける様に）、過程（１５８）で、該スタディレイアウト３６は最適化し直される。
【００５６】
すなわち、新スタディ３０ａは補足診断ディスプレー２５内に既に表示された何等かの他のスタディ３０と一緒に考慮され、最適スタディレイアウト３６が選択される。図４Ｅに示す例では、該新スタディ３０ｂは補足診断ディスプレー２５内に表示されるべき唯一のスタディ（ｔｈｅ  ｏｎｌｙ  ｓｔｕｄｙ）３０である。過程（１６０）で、新スタディ３４ａは最適化されたスタディレイアウト３６により補足診断ディスプレー２５のディスプレー範囲内に位置付けられる。再び、図４Ｅに示す様に、該最適化されたスタディレイアウト３６は単純に補足診断ディスプレー２５のディスプレー範囲の全体範囲である。
【００５７】
図４Ｆ，４Ｇ，４Ｈ，そして４Ｉに示す様に、新スタディ３０ａが補足診断ディスプレー範囲３７内で多数の前スタディズ３０ｂに付加される各度に、スタディレイアウト３６を最適化し直すことが必要である。各度に、予め存在する前スタディ（ｐｒｅ−ｅｘｉｓｔｉｎｇ  ｐｒｅｖｉｏｕｓ  ｓｔｕｄｉｅｓ）３０ｂは新スタディ３０ａと一緒に考慮され、多数の基準に基づいて最適スタディレイアウト３６が選択される。該基準は上記で論じたスタディズ３０の数と種類を含む。又、多くの他のオープニングプロトコルが使われ得ることが理解されるべきであるが、該新スタディ３０ａはユーザーフレンドリーな画像ディスプレープロトコル（ｕｓｅｒ  ｆｒｉｅｎｄｌｙ  ｉｍａｇｅ  ｄｉｓｐｌａｙ  ｐｒｏｙｏｃｏｌ）により、他の前スタディズ３０ｂの頂部又は頂部左の位置に位置付けられるのが好ましいことは注意されるべきである。又、自動タイリングは、ユーザー選択データベース２４内に記憶されたユーザープリセット（ｕｓｅｒ  ｐｒｅｓｅｔｓ）のみならず、当面のスタディ３０の最適の配向及び寸法にも依って、水平か又は垂直か何れかの仕方で行われ得ることは理解されるべきである。
【００５８】
どのディスプレーエンティティ２７が選択され、ディスプレー範囲３５，３７内に配置されるかの決定は、種々のスタディ３０の“関連性（ｒｅｌｅｖａｎｃｙ）”を決定する規則ベースの基準（ｒｕｌｅ−ｂａｓｅｄ  ｃｒｉｔｅｒｉａ）の特定セットに基づくのが好ましいことが予想される。特定のディスプレーエンティティ２７（例えば、スタディ３０）が選択されるべきかどうか、そしてそれが何処に位置付けられるべきか（例えば、もう１つの存在するディスプレーエンティティ２７と並べて）に関する現実の決定は関連性規則を使って行われる。該特定の規則ベースの基準はユーザー選択データベース２４内に記憶され、次のように関連性規則を使ってタイリングモジュール１４により実施され得る。このアプローチは上記で注意した様にどんな種類のディスプレーエンティティ２７（例えば、スタディ３０，シリーズ４０，画像５０）にも適用されると理解されるべきである。
【００５９】
タイリングモジュール１４は特定のディスプレーエンティティ２７（例えば、スタディ３０）の特性｛例えば、創生の時期、画像種類、ボデイの型、モダリティの型（ｍｏｄａｌｉｔｙ  ｔｙｐｅ）、手順、患者、他｝をチェックし、付随する関連性規則を評価する
（ｅｖａｌｕａｔｅｓ  ｔｈｅ  ａｓｓｏｃｉａｔｅｄ  ｒｅｌｅｖａｎｃｙ）。これらの関連性規則は、新ディスプレーエンティティ２７がディスプレー用に選択されるべきかそしてそれが何処に表示されるべきか（すなわち、もう１つのディスプレーエンティティ２７と並んでグループ化される）を決定するため使われ得る。典型的に、データ関連性は、画像ディスプレーシステム１０内のディスプレーエンティティ２７を選択し、グループ化するため使われる。しかしながら、この様な決定で、データ関連性と一緒に又はこれに代わって、上述の他の基準及び多くの他の基準が使用されることも可能である。
【００６０】
該補足ディスプレー範囲がフルであることが過程（１５６）で決定される（すなわち、図４Ｈで）なら、過程（１６２）で、タイリングモジュール１４は主ディスプレー範囲３５もフルであるかを決定する。すなわち、主ディスプレー範囲３５に付随するスタディレイアウト３６が更に副分割され得るかが決定される。もし主ディスプレー範囲３５のスタディレイアウト３６が更に副分割され得るなら（図４Ｈに於ける様に）、過程（１６４）で、スタディレイアウト３６は最適化し直される。すなわち、新スタディ３０ａと一緒に、予め存在する前スタディズ３０ｂが考慮され、最初のスタディ３０と新しく導入されたスタディ３０とを含むようフォーマットされた最適スタディレイアウト３６が選択される。過程（１６６）で、最初のスタディボックス３４は寸法決め直しされ、スタディレイアウト３６内の最も傑出した位置（ｍｏｓｔ  ｐｒｏｍｉｎｅｎｔ  ｐｏｓｉｔｉｏｎ）（すなわち、図４Ｉに示す様に、主ディスプレー範囲３５の頂部に）に位置付け直され、新スタディ３０ａは最初のスタディボックス３４の下に表示される（図４Ｉ）。
【００６１】
もし主ディスプレー範囲３５も又フルであるならば、過程（１６８）で、タイリングモジュール１４は、各診断ディスプレー２３，２５用で最大数のスタディボックス３４に到達したことを決定し、そして戻る。スタディレイアウト３６内で形成され得るスタディボックス３４の最大数はユーザー選択データベース２４内でユーザーによりプリセットされ得る｛すなわち、ユーザーの視覚（ｅｙｅｓｉｇｈｔ）及び個人的選択に依り｝か、又はそれは画像の品質関連の考慮｛例えば、画像解像度、当面のモダリティ画像の型（ｔｙｐｅ  ｏｆ  ｍｏｄａｌｉｔｙ  ｉｍａｇｅ  ａｔ  ｉｓｓｕｅ）、他｝に基づくシステムデフォールト（ｓｙｓｔｅｍ  ｄｅｆａｕｌｔ）とすることが出来る。全てのディスプレー範囲３５，３７が“フル”である時の多くの他の対応が提供され得ることは理解されるべきである。例えば、ユーザー１１が新スタディ３０ａ用の余地を作るために付随スタディボックス３４を閉じたい場合最も古い前スタディ３０がハイライト（ｈｉｇｈｌｉｇｈｔｅｄ）にされ得る。
【００６２】
最終結果は、左のディスプレー（すなわち、主診断ディスプレー２３）をポピュレート（ｐｏｐｕｌａｔｅ）させ始める前に、スタディ３０が右のディスプレー（すなわち、補足診断ディスプレー２５）を充たすよう、スタディ３０が開かれ、右から左へタイルされる（すなわち、補足診断ディスプレー２５から主診断ディスプレー２３へ）ことである。
【００６３】
このオープニング及びタイリングプロトコル用の原理は、前スタディ３０ｂ（すなわち、前に開かれたスタディ３０）は、開かれつつある新スタディ３０ａに典型的に補足的なことである。しかしながら、タイリングモジュール１４内では多くの異なるオープニング及びタイリングプロトコルが実施され得ることは理解されるべきである。
【００６４】
又、上記で論じられた様に、ディスプレーエンティティ２７を選択し、グループ別けする種々の方法が、多数の特性（例えば、創生時期、画像の種類、ボデイの型、モダリティの型、手順、患者、他）に基づく“関連性規則”を用いて実施され得る。
【００６５】
図５Ａ及び５Ｂは、それらを閉じるために望ましいスタディを望ましくないスタディズ３０上にドラグすることによりユーザー１１が主及び補足ディスプレー範囲３５，３７内
のスタディ３０の寸法と配置を直接操作することを可能にする画像ディスプレーシステム１０の閉止機能を図解する。
【００６６】
特に、図５Ａは、後で説明されるスタディ閉止機能を提供するために画像処理モジュール１２及び閉止モジュール１６により実行される処理過程２００を図解するフローチャートである。上述の様に、画像ディスプレーシステム１０の一般的動作がスタディ（複数を含む）３０と関連して論じられるが、説明される閉止機能は、例えば、個別のシリーズ４０，画像５０等の様などんな種類のディスプレーエンティティ２７へも等しく適用可能であることは理解されるべきである。
【００６７】
過程（２０２）で、ユーザー１１は、第１スタディボックス３４ａの底部右コーナー内に配置されたハンドルタグ（ＨＡＮＤＬＥ  ｔａｇ）９７（図５Ｂ）を選択する。過程（２０４）で、閉止モジュールは、ハンドルタグ９７がスタディボックス３４を第２スタディボックス３４ｂにより規定された空間的周囲上にドラグするため使われているかを決定する。これはハンドルタグ９７を保持しドラグするカーソルの位置が、図５Ｂで示される第２スタディボックス３４ｂの周囲エッジ（例えば、左又は右垂直エッジか又は頂部又は底部水平エッジか又はそれらの組み合わせの何れか）の１つの上を過ぎる所として規定される。
【００６８】
もしこれが起こるなら、ユーザー１１によるこの作用はユーザー１１が該“上をドラグされた（ｄｒａｇｇｅｄ  ｏｖｅｒ）”スタディボックス３４｛例えば、スタディボックス３４ｂ（図５Ｂ）又はスタディボックス３４ｂ、３４ｃ、３４ｄ（図５Ｃ）｝に付随するスタディ３０を見ることに興味がないことを意味すると解釈される。従って、その時、過程（２０６）で、閉止モジュール１６及び画像処理モジュール１２はディスプレードライバー２２に該“上をドラグされた”スタディボックス（複数を含む）を閉じるよう命令する。過程（２０８）で、閉止モジュール１６は、第１スタディボックス３４（例えば、図５Ｂ及び５Ｃのスタディボックス３４ａ）及び他の“上をドラグされた”スタディボックス（例えば、図５Ｂのスタディボックス３４ｂ又は図５Ｃのスタディボックス３４ｂ、３４ｃ、３４ｄ）により取られた合計ディスプレー面積を計算する。過程（２１０）で、閉止モジュール１６及び画像処理モジュール１２は、第１スタディボックス３４ａが主又は補足ディスプレー範囲３５又は３７上で何等かのドラグされないスタディボックス３４と並んで最適な仕方で位置付けられるように、該スタディレイアウト３６を最適化し直すようディスプレードライバー２２に命令する。
【００６９】
図６Ａ、６Ｂ、６Ｃ、６Ｄ，６Ｅ、６Ｆ、６Ｇ，６Ｈ，そして６Ｉは画像ディスプレーシステム１０のユーザー始動のリタイリング機能を図解する。
【００７０】
特に図６Ａは、主又は補足診断ディスプレー２３，２５上でユーザー始動のリタイリング機能を提供するために画像処理モジュール１２及びリタイリングモジュール１８により実行される処理過程３００を図解するフローチャートである。画像ディスプレーシステム１０のリタイリング機能は、ユーザー１１が比較目的で利用可能なオープンスタディ３０のより多くを患者用に表示することを可能にするため提供される。上述の様に、画像ディスプレーシステム１０の一般的動作がスタディ（複数を含む）３０に関連して論じられるが、説明されるリタイリング機能は、例えば、個別のシリーズ４０，画像５０等の様などんな他の種類のディスプレーエンティティ２７にも等しく適用可能であることは理解されるべきである。
【００７１】
一般に、ユーザー１１が付随するスタディボックス３０内でハンドルタグ９７をドラグすると典型的スタディボックス３０でスタートして、彼等がハンドルタグ９７を動かした所と選択された最終範囲とをユーザー１１に示すハイライトボックス９５が表示される（
図６Ｄ）。又、ユーザー１１がハンドルタグ９７をドラグすると、該ユーザー１１は又、もしユーザー１１がその点で該ハンドルタグ９７をリリースしたなら（すなわち、マウス９ボタンをリリース）、如何に寸法決め変えされたスタディボックスが見えるかをユーザー１１に示す最終の寸法決め変えされたスタディボックス３４のダイナミックな試写（ｐｒｅｖｉｅｗ）を提供される（図６Ｅから６Ｉに示す様な点線の輪郭）。該ユーザー１１が何処で該マウス９をリリースするかにより、該ボックスは、多数のスタディボックス３０に副分割されるので後で説明される様に、開いたスタディボックスのより多くが表示される。
【００７２】
特に、図６Ｂを参照すると、ユーザー１１は、示される様にスタディボックス３４内のスクリーンに表示される１つのスタディ３０を見ることによりリタイリング過程を始める。次いで、過程（３０２）で、ユーザー１１は主ディスプレー範囲３５内のスタディボックス３４上のハンドルタグ９７を選択する。ユーザー１１がハンドルタグ９７を選択しそれを付随スタディボックス３４内でドラグすると、該リタイリング機能がトリガーされることは理解されるべきである。上記で論じられた様に、もしユーザー１１が該ハンドルタグ９７を選択し、それを該付随スタディボックス３４の外側で、他のスタディボックス３４の周囲上でドラグするなら、該ユーザー１１は該スタディボックス３４を拡張するよう欲していると理解され、閉止モジュール１６は、上記で論じた様に、拡張されたスタディボックス３４を許容するようディスプレー範囲を解放する（ｆｒｅｅ  ｕｐ）閉止機能の提供へと起動される。
【００７３】
ディスプレー範囲３５（又は３７）は水平及び垂直の境界線（ｂｏｒｄｅｒｌｉｎｅｓ）を有する。例えば、図６Ｃに示す様に、スタディボックス３４は垂直及び水平の２分の１境界線（Ｈ）、垂直及び水平の３分の１境界線（Ｔ）、そして垂直及び水平の４分の１境界線（Ｑ）を有する。ユーザー１１がこれらの種々の水平及び垂直境界線を横切ってハンドルタグ９７を動かすと、リタイリングモジュール１８は適切なハイライトボックス９５を表示し、該ユーザー１１が表示したいスタディの数を決定し、対応する列及び／又は行のフォーマットを決定する。例えば、ハンドルタグ９７を図６Ｄに示す位置まで動かすことにより、該ハンドルタグ９７は該垂直の２分の１の道の境界線（ｖｅｒｔｉｃａｌ  ｈａｌｆｗａｙ  ｂｏｒｄｅｒｌｉｎｅ）（Ｈ）と水平の２分の１の道の境界線（Ｖ）を横断する。従って、リタイリングモジュール１８は、該ユーザー１１が水平に２つのスタディと、垂直に２つのスタディを表示したいこと、そして対応する列／行のフォーマットは２列と２行のフォーマットであるべきこと、を決定する。もしユーザー１１がこの点で該マウス９ボタンをリリースするなら、ディスプレー範囲３５内に２つの列と２つの行のフォーマットで４つのスタディ３０（もし当面の本特許用に利用可能であるなら）が表示されるであろう。
【００７４】
列／行のフォーマットの特定の選択が垂直及び水平境界線がハンドルタグ９７により横断されるかに依ることは理解されるべきである。又、水平及び垂直両境界線が横断され得ること、そしてその様であるから各横切り（ｅａｃｈ  ｃｒｏｓｓｉｎｇ）は独立ベースで処理されることは理解されるべきである。すなわち、もし図６Ｄに示す様に垂直及び水平両者の２分の１の境界線が横断されるなら、リタイリングモジュール１８は２つのスタディズが表示され、２列フォーマットが選択（垂直横切りについて）されることが望まれ、そしてもう２つのスタディズが表示され、２行フォーマットが選択（水平横切りについて）されることが望まれたことを、独立に決定するであろう。併せて、これは、リタイリングモジュール１８が、適切なハイライトボックス９５（垂直及び水平の両境界線内に位置する）を表示し、該ユーザー１１が表示される４つのスタディズ３０を欲することを決定し、試写ディスプレー用として対応する２＊２列及び行フォーマットを、そして究極的に、該ユーザー１１が該マウス９ボタンを、リリースすれば／リリースする時、その実施を、決定する、ことを意味する。
【００７５】
従って、戻って図６Ａを参照すると、過程（３０４）で、リタイリングモジュール１８及び画像処理モジュール１２はハンドルタグ９７が原始スタディボックス３０の垂直又は水平の２分の１線（ｖｅｒｔｉｃａｌ  ｏｒ  ｈｏｒｉｚｏｎｔａｌ  ｈａｌｆ  ｌｉｎｅ）を横断（ｔｒａｖｅｒｓｅｄ）したかどうかを決定する。もしそうであるなら、過程（３０６）で、適切なハイライトボックス９５が点線の輪郭内に表示され（例えば、図６Ｅは垂直の２分の１境界線が横断された場合を示す）、そしてユーザー１１が２つのスタディズ３０を表示したいことが決定され、適切な２列（ｔｗｏ−ｃｏｌｕｍｎ）の試写（ｐｒｅｖｉｅｗ）が表示される（図６Ｅ）。原始スタディボックス３４が背景に表示され続けることが注意されるべきである。垂直及び／又は水平の２分の１線が横断されるかどうかにより、２つの垂直の列及び／又は２つの水平の列が表示されることは理解されるべきである。図６Ｅで示される様に、ハンドルタグ９７の位置に基づいて、ユーザー１１は２列図（すなわち、スタディ３０ａ及び３０ｂ）内に表示される２つのスタディ３０を欲し、リタイリングモジュール１８は適切なレイアウトの試写を提供する。該レイアウト試写は、説明される様に、ユーザー１１がマウス９ボタンをリリースする迄実現されない。過程（３０８）で、２つのスタディ及び２列のスタディのレイアウト３６が選択され、ユーザー１１に依る（すなわち、マウス９ボタンをリリースすることに依る）確認を待つ（ｔｗｏ  ｓｔｕｄｙ  ａｎｄ  ｔｗｏ−ｃｏｌｕｍｎ  ｓｔｕｄｙ  ｌａｙｏｕｔ  ３６  ｉｓ  ｓｅｌｅｃｔｅｄ，  ｐｅｎｄｉｎｇ  ｃｏｎｆｉｒｍａｔｉｏｎ  ｂｙ  ｕｓｅｒ  １１）。
【００７６】
過程（３１０）で、リタイリングモジュール１８及び画像処理モジュール１２はハンドルタグ９７が原始スタディボックス３０の垂直又は水平の３分の１線（ｖｅｒｔｉｃａｌ
ｏｒ  ｈｏｒｉｚｏｎｔａｌ  ｔｈｉｒｄ  ｌｉｎｅ）を横断したかどうかを決定する。もしそうであるなら、過程（３１２）で、適切なハイライトボックス９５が表示され（例えば、図６Ｆは垂直の３分の１の境界線が横断された場合を示す）、そしてユーザー１１が３つのスタディズ３０を表示したいことが決定され、適切な３列（ｔｗｏ−ｃｏｌｕｍｎ）試写（ｐｒｅｖｉｅｗ）が表示される（図６Ｆ）。該垂直及び／又は水平の３分の１線が横断されたかにより３つの垂直列及び／又は３つの水平列が表示されることは理解されるべきである。図６Ｆに示す様に、ハンドルタグ９７の位置に基づき、ユーザー１１は３列の図（すなわち、スタディ３０ａ、３０ｂ、３０ｃ）内に３つのスタディ３０が表示されるのを欲し、リタイリングモジュール１８は適切なレイアウト試写を提供する。該レイアウト試写は、ユーザー１１が、説明される様に、マウス９ボタンをリリースする迄実現されない。過程（３１４）で、３つのスタディ及び３列のスタディのレイアウト３６が選択され、ユーザー１１に依る（すなわち、マウス９ボタンをリリースすることに依る）確認を待つ。
【００７７】
過程（３１６）で、リタイリングモジュール１８及び画像処理モジュール１２はハンドルタグ９７が原始スタディボックス３０の垂直又は水平の４分の１線（ｖｅｒｔｉｃａｌ
ｏｒ  ｈｏｒｉｚｏｎｔａｌ  ｆｏｕｒｔｈ  ｌｉｎｅ）を横断したかどうかを決定する。もしそうであるなら、過程（３１２）で、適切なハイライトボックス９５が表示され（例えば、図６Ｇは垂直の４分の１の境界線が横断された場合を示す）、そしてユーザー１１が４つのスタディズ３０を表示したいことが決定され、適切な４列（ｆｏｕｒ−ｃｏｌｕｍｎ）の試写が表示される（図６Ｇ）。該垂直及び／又は水平の４分の１線（ｔｈｅ
ｖｅｒｔｉｃａｌ  ａｎｄ／ｏｒ  ｔｈｅ  ｈｏｒｉｚｏｎｔａｌ  ｑｕａｒｔｅｒ  ｌｉｎｅｓ）が横断されたかどうかにより４垂直列及び／又は４水平列が試写されることは理解されるべきである。図６Ｇに示す様に、ハンドルタグ９７の位置に基づき、ユーザー１１は４列図（すなわち、スタディ３０ａ、３０ｂ、３０ｃ、３０ｄ）内に表示される４つのスタディ３０を欲し、適切なレイアウト試写が提供される。しかしながら、該レイアウト試写は、ユーザー１１が、説明される様に、マウス９ボタンをリリースする迄実施されない。過程（３２０）で、４つのスタディ及び４列のスタディのレイアウト３６が試写され、該試写の実施はユーザー１１に依る（すなわち、マウス９ボタンをリリースすることに依る）確認を待つ。
【００７８】
上記で論じた様に、ユーザー１１は、垂直及び水平両境界線を同時に横断するように、ハンドルタグ９７を操作することが出来る。図６Ｈは、ユーザー１１が、原始スタディボックス３４内で４分の１垂直境界線と２分の１水平境界線の両者を横切るよう、ハンドルタグ９７を操作した場合を図解する。結果として、リタイリングモジュール１８は、ユーザー１１がこの様な仕方でハンドルタグ９７をドラグすることにより創ったそれを示す様に、ハイライトボックス９５を表示する。又リタイリングモジュール１８は、該ユーザー１１が表示される８つ（すなわち、２の４倍）のスタディ３０を欲すると決定し、最適のスタディレイアウト３６は４列と２行のレイアウトであると決定し、そして適切なレイアウト試写を提供する。もし（下記で説明される様に）該ユーザー１１がマウス９ボタンをリリースするなら、試写されたレイアウトが実施され、その患者用の全ての利用可能なスタディ（図６Ｉで示される様に、スタディ３０ａ、３０ｂ，３０ｃ，３０ｄ，３０ｅそして３０ｆのみが表示されるよう利用可能である）が表示される。
【００７９】
過程（３２２）では、リタイリングモジュール１８は、ハンドルタグ９７が上述の位置の１つにある時、ユーザー１１がマウス９のボタンをリリースしたかどうかを決定する。すなわち、該列／行試写の１つが表示されている間にもしユーザーがマウス９ボタンをリリースするなら、該ユーザー１１は実施用にその列／行の構成を選択したと取られる。従って、表示された列試写に付随するスタディレイアウト３６が選択され、ディスプレー範囲３５，３７内にスタディボックス３４のシリーズを形成するよう実施される。リタイリングモジュール１８及び画像処理モジュール１２は次いで該適切な試写されたスタディレイアウト３６により規定される様に、選択された数のスタディボックス３４を表示するようディスプレードライバー２２に命令する。
【００８０】
過程（３２５）で、リタイリングモジュール１８は、今表示されているスタディボックス３４の数が表示用に利用可能なスタディズ３０の原始セットより多いかを決定する。もしそうであるなら、過程（３２６）で、上記説明の様に、ディスプレー範囲３５，３７内の追加のスタディボックス３４内に何等かの追加のスタディ３０｛前にスクリーンから外されていた（ｔｈａｔ  ｗｅｒｅ  ｐｒｅｖｉｏｕｓｌｙ  ｏｆｆ−ｓｃｒｅｅｎ）｝が表示される（図６Ｉ）。図６Ｉで示す様に、この特徴は、一旦追加のスタディボックス３４が開くと、ユーザー１１がスクリーン上で患者用のより多くのスタディズ３０を見ることを可能にする。すなわち、ユーザー１１はディスプレー９７内に表示された１つのスタディ３０でスタートし、ディスプレー範囲３５，３７内で該スタディボックス３４を寸法決め直し（ｒｅｓｉｚｗ）てもよい。モシユーザー１１が、列／行試写の１つが表示されている間に、マウス９ボタンをリリースするなら、該ユーザー１１が表示された列／行試写を選択したと取られる。
【００８１】
この試写されたスタディレイアウト３６は次いで実施され、スタディボックス３４のシリーズはディスプレー範囲３５，３７内に表示される。最初に表示されたその原始スタディ３０に付随するどんな追加的スタディズ３０も、より多くのスタディズ３０がその患者用に示されるよう、該スタディボックス３４を充たすであろう。図６Ｉの場合は、スタディレイアウト３６の８つのスタディボックス３４を充たすために６つのスタディ３０しか入手可能でない。
【００８２】
タイリングモジュール１４に関連して上記で論じた様に、どのスタディズ３０がスタディボックス３４に持ち込まれるかの決定は、種々のスタディズ３０の“関連性”を決定する規則ベースの基準の特定のセットに基づくことが好ましいと考えられる。特定のディスプレーエンティティ２７（例えば、スタディ３０）が選択されるべきかどうか、そしてそれが何処に（例えば、もう１つの現在のディスプレーエンティティ２７と、並んで、その上に又はその下に）位置付けられべきか、に関する現実の決定は関連性規則を使って行われる。該特定の規則ベースの基準はユーザー選択データベース２４内に記憶され、下記の様に、関連性規則を使ってタイリングモジュール１４により実施される。このアプローチは上述の様に、どんな種類のディスプレーエンティティ２７（例えば、スタディ３０，シリーズ４０，画像５０）にも適用すると理解されるべきである。リタイリングモジュール１８は特定のディスプレーエンティティ２７（例えば、スタディ３０）の特性（例えば、創生の時期、画像の種類、ボデイの型、モダリティの型、手順、患者、他）をチェックし、付随する関連性規則を評価する。これらの関連性規則は、新ディスプレーエンティティ２７がディスプレー用に選択されるべきかどうか、そしてそれが何処に表示されるべきか（すなわち、もう１つのディスプレーエンティティ２７と並んでグループ化されて）を決定するため使われ得る。典型的に、データ関連性は、画像ディスプレーシステム１０内でディスプレーエンティティ２７を選択し、グループ化するため使用される。しかしながら、上述の他の基準と多くの他のものがこの様な決定でデータ関連性と一緒又はその代わりに使われ得る。
【００８３】
図７Ａ、７Ｂ，７Ｃ，７Ｄ，及び７Ｅは画像ディスプレーシステム１０のミラーリング機能（ｍｉｒｒｏｒｉｎｇ  ｆｕｎｃｔｉｏｎａｌｉｔｙ）を図解する。特に、図７Ａは、主及び補足診断ディスプレー２３，２５上で表示されたスタディ３０用にミラーリング機能を提供するため画像処理モジュール１２及びミラーリングモジュール２０により実行される処理過程４００を図解するフローチャートである。図７Ｄは、ミラーリングがイネーブル（ｅｎａｂｌｅｄ）にされた時、スタディツールバー３１内でのミラーボタンの図式的なユーザーの実施法（ｇｒａｐｈｉｃａｌ  ｕｓｅｒ  ｉｍｐｌｅｍｅｎｔａｔｉｏｎ）を図解する。図７Ｂ，７Ｃ，及び７Ｅはスタディ３０に適用されたミラーリング機能の例を図解する。ミラーリング機能の論議は主及び補足ディスプレー２３，２５を参照するが、ミラーリングはどんな数の補足ディスプレー２５とも一緒に主ディスプレー２３に適用され得ることは理解されるべきである。又、ユーザーが画像ディスプレーシステム１０のミラーリング機能をイネーブルにすることを選択するために、どんな種類の指標でも（すなわち、必ずしもミラーボタン９９でなくても）ミラーリングモジュール２０により提供されることが可能なことは理解されるべきである。
【００８４】
最後に、上述の様に、画像ディスプレーシステム１０の一般的動作がシリーズ４０に関連して論じられるが、説明されるミラーリング機能は、例えば、スタディ３０，画像５０等の様などんな他の種類のディスプレーエンティティ２７にも等しく適用可能であることは理解されるべきである。
【００８５】
過程（４０２）で、ユーザー１１はキーボード７及び／又はマウス９を使って、ミラーリング機能用に原始ディスプレー（すなわち、主ディスプレー２３か又は補足ディスプレー２５の何れか）上でスタディ３０を選択する。上記で論じた様に、ユーザー１１は、スタディ３０に付随したハンドルタグ９７を選択することにより、直接操作用にスタディ３０を選択出来る（図７Ｂ）。該ユーザー１１がハンドルタグ９７を動かすと、ユーザー１１は該スタディボックス３４の寸法を変えて、それを種々のディスプレー“面（ｓｕｒｆａｃｅｓ）”上で動かすことが出来る（図７Ｃ）。この方法で、該ユーザー１１は、該スタディボックスが隣接ディスプレー上へ延びるように該スタディボックス３４の寸法を手動で調整出来る。
【００８６】
過程（４０４）で、ユーザー１１が該スタディを該隣接モニターまでドラグしたかどうかが決定される。もしそうであるなら、過程（４０６）で、ミラーリングモジュール２０は、スタディボックス３４を原始ディスプレー上のみで表示されることから、該原始及び
隣接ディスプレーの両者上まで広げるよう、ディスプレードライバー２２を指図する。図７Ｂ及び７Ｃで示す様に、ユーザー１１が原始ディスプレー上でスタディボックス３４のハンドルタグ９７を選択し、それを隣接ディスプレー２５上へ動かす時、該スタディ３０は２つのディスプレー上へ広げられる。特に、スタディ３０に付随した種々のシリーズ４０の特定の画像（例えば、画像１）は、広げられたスタディボックス３４内に表示された各シリーズボックス４４内に表示される。この仕方で表示される特定の数のシリーズボックス４４は多数の方法でユーザー１１により選択され得る（例えば、上記で論じたリタイリングプロトコルを使って、ユーザー選択データベース２４内に記憶された好ましいシリーズレイアウト４６を使って、他）。
【００８７】
過程（４０７）で、ミラーリングモジュール２０は図７Ｂで示されるスタディツールバー３１内のミラーボタン９９のディスプレーをイネーブルにする。これはユーザー１１にミラーリング機能を選択するオプションを提供する。ミラーリング機能の選択は表示されるシリーズ４０の数を減じるが、該ユーザー１１が、後で論じられる様に、原始ディスプレー上に表示されるシリーズ内に“掘り下げる（ｄｒｉｌｌ  ｄｏｗｎ）”ことを可能にする。
【００８８】
過程（４０８）で、ユーザー１１がミラーボタン９９を選択したかどうかが決定される。もしそうであれば、過程（４１０）で、ミラーリングモジュール２０はディスプレードライバー２２に、隣接ディスプレー上に現在表示されているシリーズ４０をディスプレーから除去するよう命令する。過程（４１２）で、ミラーリングモジュール２０は原始ディスプレー上に表示された該シリーズ４０内の画像用にディスプレープロトコル（ｄｉｓｐｌａｙ  ｐｒｏｔｏｃｏｌ）を適用する。１つの例のディスプレープロトコルは、“１つ進める（ａｄｖａｎｃｅ  ｏｎｅ）”ディスプレープロトコルであるが、それは該原始ディスプレー上に示されたシリーズ４０を取って、該同じシリーズ４０を隣接ディスプレー上に表示するが、１だけ進めた画像を用いてである（図７Ｅ）。例えば、図７Ｅに示される様に、シリーズ１，２，３，４の第１画像が主ディスプレー２３上に示されており、該シリーズ１，２，３、そして４の第２画像が補足ディスプレー２５上に示されている。
【００８９】
過程（４１４）で、ミラーリングモジュール２０は隣接ディスプレー上に最終シリーズ４０のディスプレー（すなわち、１画像だけ進められた）を惹起させる（ｃａｕｓｅｓ）。すなわち、ミラーリングモジュール２０は原始ディスプレー（例えば、主ディスプレー２３）上に表示されているスタディ３０のシリーズ４０をユーザーの選択したディスプレープロトコル（例えば、上記で論じた“１だけ進める”ディスプレープロトコル）に依って該隣接ディスプレー（例えば、補足診断ディスプレー２５）上にミラー（ｍｉｒｒｏｒｓ）する。
【００９０】
過程（４１６）で、ユーザー１１がミラーリング機能を閉鎖（ｄｅｓｅｌｅｃｔｅｄ）したかどうかが決定される。該ユーザー１１が多数の方法でミラーリング機能を閉鎖出来ることは理解されるべきである。第１に、ユーザー１１はシリーズツールバー４１からミラーボタン９９を簡単に閉鎖出来る。第２に、ユーザー１１は、上記説明の様にハンドルタグ９７を使って、スタディボックス３４を選択し、隣接ディスプレーから原始ディスプレーへ戻るよう戻りドラグ（ｄｒａｇ  ｂａｃｋ）することが出来る。もしそうであれば、過程（４１８）で、該ミラーリング機能はディスエーブルとなり（ｄｉｓａｂｌｅｄ）、ミラーボタン９９はスタディツールバー３１から除去される。もしそうでなければ、過程（４１６）が実行し直される（ｒｅ−ｅｘｃｕｔｅｄ）。図８Ａ、８Ｂ，８Ｃ，８Ｄそして８Ｅはタイリングモジュール１４及び画像処理モジュール１２により実施される特定画像５０操作機能（ｓｐｅｃｉｆｉｃ  ｉｍａｇｅ  ５０  ｍａｎｉｐｕｌａｔｉｏｎ  ｆｕｎｃｔｉｏｎａｌｉｔｙ）を図解する。特に、図８Ａは、後で説明される、画像ディスプレー機能を提供するため画像処理モジュール１２により実行される処理過程５００を図解するフローチャート線図である。上述の様に、画像ディスプレーシステム１０の一般的動作がシリーズボックス４４内の画像５０のディスプレーに関連して論じられるが、このディスプレー機能は、例えば、スタディ３０，シリーズ４０等の様などんな種類のディスプレーエンティティ２７にも等しく適用可能であることは理解されるべきである。
【００９１】
過程（５０２）で、ユーザー１１はシリーズボックス４４内のディスプレー用に特定のシリーズ４０を選択する。過程（５０４）で、ユーザー１１がシリーズ４０の画像５０がスタックモード（ｓｔａｃｋ  ｍｏｄｅ）｛すなわち、どんな時刻にも１つだけの画像５０が実行されるよう画像５０がもう１つの頂部上に位置付けられる（ｐｏｓｉｔｉｏｎｅｄ  ｏｎ  ｏｎ−ｔｏｐ  ｏｆ  ａｎｏｔｈｅｒ）｝で表示されることを要求したかが決定される。ユーザー１１がシリーズ４０の画像５０がスタックモードで表示されることを要求する多数の方法があることは理解されるべきである。例えば、ユーザー１１はシリーズツールバー４１内に提示されるプルダウンメニューからメニューオプションを選択してもよい。代わりに、ユーザー１１はこの様な表現の“ショートカットキー（ｓｈｏｒｔ−ｃｕｔ  ｋｅｙ）”表現を入れてもよい（例えば、“Ｆ１”）。
【００９２】
ユーザーが、シリーズ４０の画像がスタックモードで表現されることを要求したことが決定されるなら、過程（５０５）で、画像処理モジュール１２は該“ディスプレーモード（ｄｉｓｐｌａｙ  ｍｏｄｅ）”を“スタックモード”となるよう設定し、次いで過程（５０８）へ進むが、その点では画像処理モジュール１２は該特定のシリーズ４０用の画像５０を検索する。過程（５１０）で、画像処理モジュール１２は画像５０に図８Ｂ及び８Ｃで示される様にシリーズボックス４４内に入らせる。
【００９３】
示されている様に、画像５０ａはシリーズボックス４４内に表示され、ユーザー１１が画像タブ（ｉｍａｇｅ  ｔａｂ）５７を画像スライダー（ｉｍａｇｅ  ｓｌｉｄｅｒ）５５の長さに沿ってスライドさせることにより画像スタック内の種々の画像を通って前進出来るよう、画像スライダー５５がシリーズボックス４４の頂部に提供される。図８Ｂに示される様に、第１画像５０ａがシリーズボックス４４内に表示される。過程（５１２）で、ユーザー１１がタブ５７を選択し、それを画像スライダー５５に沿って動かしたかが決定される。もしそうであるなら、過程（５１４）で、もう１つの画像５０ｄ（すなわち、該スタック内で更に下方の）が選択され、シリーズボックス４４内に表示される（図８Ｃ）。ユーザー１１は又、種々の手段を用いて｛例えば、マウスボタンを前方／後方へロール（ｒｏｌｌｉｎｇ）することにより、又はキーボード７上でアップ／ダウン矢印（ｕｐ／ｄｏｗｎ  ａｒｒｏｗｓ）を使うことにより｝、“スタックモード”内の画像５０を通るよう移ることが出来ることは理解されるべきである。又、シリーズ４０内での画像５０の画像ディスプレーが画像スライダー５５に沿う画像タブ５７の移動に関連して論じられたが、代わりに多くの異なる種類の指標が使われ得ることは理解されるべきである｛例えば、プルダウンメニュータブ（ｐｕｌｌ−ｄｏｗｎ  ｍｅｎｕ  ｔａｂｓ）、他｝。
【００９４】
過程（５０６）で、画像タイリングモードがユーザー１１により選択されたかどうかが決定される。再び、“タイリングモード”の選択は、スタックモードの選択に関連して上記で論じた様に、多数の方法で達成され得る（例えば、プルダウンメニューオプション又はショートカットキーエントリーを使って）。もしそうでないなら、画像処理モジュール１２は該ユーザーが望ましいディスプレーモードを選択したかどうかをモニターし続け、過程（５０４）が実行し直される。
【００９５】
もし該ユーザーがシリーズ４０の画像がタイルモードで表現されるべきことを要求したことが決定されるなら、過程（５０７）で、画像処理モジュール１２は該“ディスプレーモード”を“タイルモード”となるよう設定し、過程（５０８）へ進むが、その点では画像処理モジュール１２は特定のシリーズ４０用の画像５０を検索する。過程（５１０）で
、画像処理モジュール１２は、画像５０を、図８Ｄ及び８Ｅに示す様に、シリーズボックス４４内にタイルモードで表示されさせる。図８Ｄで示される様に、シリーズボックス４４内に１つの画像５０ａが表示され、画像スライダー５５がシリーズボックス４４上に提供されるが、それは、ユーザー１１が画像タブ５７を画像スライダー５５の長さに沿ってスライドすることにより、シリーズボックス４４内に表示されるべき画像の数を選択出来るようにするためである。過程（５１２）で、ユーザー１１が画像タブ５７を選択し、それを画像スライダー５５に沿って動かしたかが決定される。もしそうであるなら、過程（５１４）で、画像５０ａ、５０ｂ、５０ｃ及び５０ｄ（すなわち、原始画像５０ａが、シリーズ４０内で更に沿った３つの他の画像と一緒に）が選択され、２＊２構成でシリーズボックス４４内に表示される（図８Ｅ）。
【００９６】
多くの他の種類の構成が可能であり（例えば、４つの画像が選択された時に１＊４）、一旦或る構成の画像５０が選択されると、“スタックモード”アプローチに関連して論じられた様に、表示される特定画像は進められるか又は引き込められる（すなわち、マウスボタンをロールすることにより又はアップ／ダウン矢印キーを使って、他）。又、或る構成でのシリーズボックス４４内の画像５０の画像ディスプレーが、画像スライダー５５に沿った画像タブ５７の移動に関連して論じられたが、特定の画像５０構成を選択するために、多くの異なる種類の指標が代わりに使われ得ることは理解されるべきである（例えば、プルダウンメニュータブ、他）。
【００９７】
特定用途向け図解（ａｐｐｌｉｃａｔｉｏｎ−ｓｐｅｃｉｆｉｃ  ｉｌｌｕｓｔｒａｔｉｏｎ）を提供するために画像ディスプレーシステム１０が医学的画像管理の背景で説明されたが、画像ディスプレーシステム１０は又どんな他の種類の画像又は文書ディスプレーシステムにも応用され得ることは理解されるべきである。
【００９８】
本発明の或る特徴がここで図解され、説明されたが、多くの変型、置換、変更及び等価物が当業者に於いて今や作られるであろう。従って、付属する請求項はこの様な変型と変更を本発明の真の精神の中に入るものとしてカバーするよう意図されていることは理解されるべきである。
【００９９】
本発明をより良く理解するため、そして如何にそれが結果にもたらされるかをもっと明らかに示すため、実例を用いるよう、本発明の幾つかの例を示す下記付属図面を参照する。
【図面の簡単な説明】
【０１００】
【図１】本発明のシステムの画像ディスプレーシステムのブロック線図である。
【図２】図１の画像ディスプレーシステムのディスプレーを詳細に図解する線図である。
【図３】図１の画像ディスプレーシステムの基本的動作過程を図解するフローチャートである。
【図４Ａ】ユーザー始動のタイリングの特徴を実行時、図１のタイリングモジュール及び画像処理モジュールにより行われる処理過程を図解するフローチャートである。
【図４Ｂ】ユーザーが新スタディを位置付け、そして、又は現スタディを位置付け直したい時、図１のタイリングモジュールにより提供されるユーザー始動のタイリングの特徴を図解する線図である。
【図４Ｃ】自動タイリングの特徴の実行時、図１のタイリングモジュール及び画像処理モジュールにより行われる処理過程を図解するフローチャートである。
【図４Ｄ−４Ｉ】ユーザーが望ましい位置を選択することなく新スタディを開く時、図１のタイリングモジュールにより提供される自動タイリングの特徴を図解する線図である。
【図５Ａ】図１の閉止モジュール及び画像処理モジュールにより行われる処理過程を図解するフローチャートである。
【図５Ｂ−５Ｃ】図１の閉止モジュールにより提供される画像閉止の特徴を図解する線図である。
【図６Ａ】図１のリタイリングモジュール及び画像処理モジュールにより行われる処理過程を図解するフローチャートである。
【図６Ｂ−６Ｉ】図１のリタイリングモジュールにより提供されるリタイリングの特徴を図解する線図である。
【図７Ａ】図１のミラーリングモジュール及び画像処理モジュールにより行われる処理過程を図解するフローチャートである。
【図７Ｂ−７Ｅ】図１のミラーリングモジュールにより提供される画像ミラーリングの特徴を図解する線図である。
【図８Ａ】画像ディスプレーに関して図１のタイリング及び画像処理モジュールにより行われる処理過程を図解するフローチャートである。
【図８Ｂ−８Ｃ】図１のタイリング及び画像処理モジュールの“スタックモード”画像ディスプレー機能を図解する線図である。
【図８Ｄ−８Ｅ】図１のリタイリング及び画像処理モジュールの“タイリングモード”画像ディスプレー機能を図解する線図である。図解の簡単さと明確さのために、図で示される要素は必ずしもスケール合わせして描かれてないことは評価されるであろう。例えば、要素の幾つかの寸法は明確化のために他の要素に対し拡張されている。更に、適当と考えられる場合は、対応する、又は類似の要素を示すために、参照数字が各図の間で繰り返し使われている。
【図１】
2008509456.tif 000003
【図２】
2008509456.tif 000004
【図３】
2008509456.tif 000005
【図４Ａ】
2008509456.tif 000006
【図４Ｂ】
2008509456.tif 000007
【図４Ｃ】
2008509456.tif 000008
【図４Ｄ−４Ｆ】
2008509456.tif 000009
【図４Ｇ−４Ｉ】
2008509456.tif 000010
【図５Ａ】
2008509456.tif 000011
【図５Ｂ−５Ｃ】
2008509456.tif 000012
【図６Ａ】
2008509456.tif 000013
【図６Ｂ−６Ｄ】
2008509456.tif 000014
【図６Ｅ−６Ｇ】
2008509456.tif 000015
【図６Ｈ−６Ｉ】
2008509456.tif 000016
【図７Ａ】
2008509456.tif 000017
【図７Ｂ−７Ｃ】
2008509456.tif 000018
【図７Ｄ−７Ｅ】
2008509456.tif 000019
【図８Ａ】
2008509456.tif 000020
【図８Ｂ−８Ｃ】
2008509456.tif 000021
【図８Ｄ−８Ｅ】
2008509456.tif 000022
【国際調査報告】
2008509456.tif 000023
2008509456.tif 000024
2008509456.tif 000025